(57)【要約】  本発明は、タスク設定方法及び装置を提供し、コンピュータ技術分野に属する。前記タスク設定方法は、ユーザーが家電機器を操作した操作履歴を取得するステップと、前記操作履歴に基づいて規則的タスクであって、固定時刻に同一の操作を受信した回数が所定回数に達する前記操作に対応する規則的タスクが存在するかを検出するステップと、前記規則的タスクが存在する場合、前記固定時刻に、対応する規則的タスクアイテムであって、再び前記固定時刻に到達したとき前記家電機器が前記規則的タスクを実行する規則的タスクアイテムを設定するステップとを含む。これにより、関連技術に存在する家電機器が適時にユーザーにサービスを提供不可能な問題を解決することが可能になり、固定時刻に到達したとき、家電機器が規則的タスクを実行して、いつでもユーザーに必要なサービスを提供することができる効果に達することが可能になる。【選択図】        図２
2017505084.tif 000002
【特許請求の範囲】
【請求項１】
ユーザーが家電機器を操作した操作履歴を取得するステップと、
前記操作履歴に基づいて、固定時刻に同一の操作を受信した回数が所定回数に達する操作に対応するタスクである規則的タスクが存在するかを検出するステップと、
前記規則的タスクが存在する場合、前記固定時刻に、対応する規則的タスクアイテムを設定するステップとを含み、
前記規則的タスクアイテムは、再び前記固定時刻に到達したとき、前記家電機器が前記規則的タスクを実行するタスクアイテムであることを特徴とするタスク設定方法。
【請求項２】
前記固定時刻に、対応する規則的タスクアイテムを設定するステップは、
前記固定時刻に、対応する規則的タスクアイテムを設定するかを問い合わせするための第１の問い合わせ情報をモバイル端末に送信するステップと、
前記モバイル端末が送信した第１のフィードバック情報を受信するステップと、
前記第１のフィードバック情報が確認を表示する場合、前記固定時刻に前記規則的タスクアイテムを設定するステップとを含むことを特徴とする請求項１に記載のタスク設定方法。
【請求項３】
再び前記固定時刻に到達したとき、前記規則的タスクアイテムに基づいて前記規則的タスクを実行するステップをさらに含むことを特徴とする請求項１又は２に記載のタスク設定方法。
【請求項４】
前記再び前記固定時刻に到達したとき、前記規則的タスクアイテムに基づいて前記規則的タスクを実行するステップは、
再び前記固定時刻に到達したとき、前記家電機器が前記規則的タスクを既に実行したかを検出するステップと、
前記家電機器が前記規則的タスクをまだ実行しなかった場合、前記規則的タスクを実行するステップとを含むことを特徴とする請求項３に記載のタスク設定方法。
【請求項５】
前記再び前記固定時刻に到達したとき、前記規則的タスクアイテムに基づいて前記規則的タスクを実行するステップは、
再び前記固定時刻に到達したとき、前記家電機器が前記規則的タスクを実行することを許すかを問い合わせするための第２の問い合わせ情報をモバイル端末に送信するステップと、
前記モバイル端末が送信した第２のフィードバック情報を受信するステップと、
前記第２のフィードバック情報が実行を許可することを表示する場合、前記規則的タスクを実行するステップとを含むことを特徴とする請求項３に記載のタスク設定方法。
【請求項６】
前記再び前記固定時刻に到達したとき、前記規則的タスクアイテムに基づいて前記規則的タスクを実行するステップは、
前記規則的タスクがモバイル端末、ホームゲートウェイ装置又はサーバに保存され、また、再び前記固定時刻に到達したとき、前記モバイル端末、ホームゲートウェイ装置又はサーバが前記家電機器に、前記家電機器を制御して前記規則的タスクを実行するための制御コマンドを送信するステップとを含むことを特徴とするタスク設定方法。
【請求項７】
前記家電機器所在環境の空気品質情報、前記家電機器所在環境の第１の所定時間帯内の光の強さ、前記家電機器所在環境の第２の所定時間帯内の音の強さ、前記家電機器及び/又は前記家電機器と同一のＬＡＮに位置する他の家電機器が最近１回使用された使用時刻のうちの少なくとも一つを含む予設情報を取得するステップと、
前記予設情報が、前記空気品質情報が空気品質が予設空気品質よりも悪いと表示すること、前記光の強さが予設光の強さよりも小さいこと、前記音の強さが予設強さよりも小さいこと、及び最近１回使用された前記使用時刻が所定時間長さ前の時刻であることのうちの少なくとも一つを含む予設条件を満たすかを検出するステップと、
前記予設情報が前記予設条件を満たす場合、ホームゲートウェイ装置を介して前記家電機器及び前記家電機器と同一のＬＡＮに位置する他の家電機器をオフにするステップとを含むことを特徴とする請求項１ないし６のいずれか１項に記載のタスク設定方法。
【請求項８】
ユーザーが家電機器を操作する操作履歴を取得するように配置された操作記録取得モジュールと、
前記操作記録取得モデルが取得した前記操作履歴に基づいて、固定時刻に同一の操作を受信した回数が所定回数に達する前記操作に対応するタスクである規則的タスクが存在するかを検出するタスク検出モジュールと、
前記タスク検出モジュールの検出結果が前記規則的タスクが存在することを表示する場合、前記固定時刻に、対応する規則的タスクアイテムを設定するように配置されたタスクアイテム設定モジュールとを含み、
前記規則的タスクアイテムは、再び前記固定時刻に到達したとき、前記家電機器が前記規則的タスクを実行するタスクアイテムである
ことを特徴とするタスク設定装置。
【請求項９】
前記タスクアイテム設定モジュールは、
前記固定時刻に、対応する規則的タスクアイテムを設定するかを問い合わせするための第１の問い合わせ情報をモバイル端末に送信するように配置された第１の問い合わせ情報送信サブモジュールと、
前記モバイル端末が送信した第１のフィードバック情報を受信するように配置された第１のフィードバック情報受信サブモジュールと、
前記第１のフィードバック情報サブモジュールが受信した前記第１のフィードバック情報が確認を表示する場合、前記固定時刻に前記規則的タスクアイテムを設定するように配置されたタスクアイテム設定サブモジュールとを含むことを特徴とする請求項８に記載のタスク設定装置。
【請求項１０】
再び前記固定時刻に到達したとき、前記規則的タスクアイテムに基づいて前記規則的タスクを実行するように配置されたタスク実行モジュールをさらに含むことを特徴とする請求項８又は９に記載のタスク設定装置。
【請求項１１】
前記タスク実行モジュールは、
前記固定時刻に到達したとき、前記家電機器が前記規則的タスクを既に実行したかを検出するように配置されたタスク検出サブモジュールと、
前記タスク検出サブモジュールの検出結果が前記家電機器が前記規則的タスクをまだ実行しなかったことを表示する場合、前記規則的タスクを実行するように配置された第１のタスク実行サブモジュールとを含むことを特徴とする請求項１０に記載のタスク設定装置。
【請求項１２】
前記タスク実行モジュールは、
再び前記固定時刻に到達したとき、前記家電機器が前記規則的タスクを実行することを許すかを問い合わせするための第２の問い合わせ情報をモバイル端末に送信するように配置された第２の問い合わせ情報送信サブモジュールと、
前記モバイル端末が送信した第２のフィードバック情報を受信するように配置された第２のフィードバック情報受信サブモジュールと、
前記第２のフィードバック情報受信サブモジュールが受信した前記第２のフィードバック情報が実行を許可することを表示する場合、前記規則的タスクを実行するように配置された第２のタスク実行サブモジュールとを含むことを特徴とする請求項１０に記載のタスク設定装置。
【請求項１３】
前記タスク実行モジュールは、前記規則的タスクがモバイル端末、ホームゲートウェイ装置又はサーバに保存され、また、再び前記固定時刻に到達したとき、前記モバイル端末、ホームゲートウェイ装置又はサーバが前記家電機器に、前記家電機器を制御して前記規則的タスクを実行するための制御コマンドを送信するように配置されることを特徴とする請求項１０に記載のタスク設定装置。
【請求項１４】
前記家電機器所在環境の空気品質情報、前記家電機器及び/又は前記家電機器と同一のＬＡＮに位置する他の家電機器が最近１回使用された使用時刻、及び前記家電機器所在環境の所定時間帯内の光の強さのうちの少なくとも一つを含む予設情報を取得するように配置された情報取得モジュールと、
前記予設情報が、前記空気品質情報が空気品質が予設空気品質よりも悪いと表示すること、前記光の強さが予設光の強さよりも小さいこと、前記音の強さが予設強さよりも小さいこと、及び最近１回使用された前記使用時刻が所定時間長さ前の時刻であることのうちの少なくとも一つを含む予設条件を満たすかを検出するように配置された条件検出モジュールと、
前記条件検出モジュールの検出結果が前記予設情報が前記予設条件を満たすと表示する場合、ホームゲートウェイ装置を介して前記家電機器及び前記家電機器と同一のＬＡＮに位置する他の家電機器をオフにするように配置された装置オフモジュールとを含むことを特徴とする請求項８ないし１３のいずれか１項に記載のタスク設定装置。
【請求項１５】
プロセッサと、
前記プロセッサが実行可能なコマンドを記憶するメモリとを含み、
前記プロセッサは、
ユーザーが家電機器を操作した操作履歴を取得し、
前記操作履歴に基づいて、固定時刻に同一の操作を受信した回数が所定回数に達する前記操作に対応するタスクである規則的タスクが存在するかを検出し、
前記規則的タスクが存在する場合、前記固定時刻に、対応する規則的タスクアイテムを設定するように配置され、
前記規則的タスクアイテムは、再び前記固定時刻に到達したとき、前記家電機器が前記規則的タスクを実行するタスクアイテムである
ことを特徴とするタスク設定装置。
【発明の詳細な説明】
【技術分野】
【０００１】
本願発明は、出願番号が２０１４１０６７４０７０５であって、出願日が２０１４年１１月２１日である中国特許出願を基礎として優先権を主張し、その中国特許出願の内容のすべてを、本願発明に援用する。
【０００２】
本発明は、コンピュータ技術の分野に関し、より詳しくは、タスク設定方法及び装置に関する。
【背景技術】
【０００３】
例えば、エアコンや、空気清浄器や、浄水器などの家電機器は、各家庭でよく見られる家電機器の一つである。
【０００４】
ユーザーは、家電機器を使用する過程で、家電機器を操作して対応するタスクを実行するようにする。例えば、ユーザーが寝る前に暖かい水を飲む習慣がある場合、ユーザーは、浄水器を作動させて水を沸騰させることがある。
【発明の概要】
【発明が解決しようとする課題】
【０００５】
本発明人は、本発明を実現する過程で、関連技術に、少なくとも下記のような欠陥が存在ことを見つけた。つまり、ユーザーがある原因で、家電機器を操作することを忘れると、家電機器は何のタスクも実行しないので、家電機器がユーザーのために適時にサービスを提供することができない問題が生じられてしまう。
【課題を解決するための手段】
【０００６】
本発明は、関連技術の家電機器が適時にユーザーにサービスを提供することが不可能である問題を解決するために、タスク設定方法及び装置を提供する。技術方案は下記の通りである。
【０００７】
本発明の第１の態様に係るタスク設定方法は、
ユーザーが家電機器を操作した操作履歴を取得するステップと、
操作履歴に基づいて、規則的タスクであって、固定時刻に同一の操作を受信した回数が所定回数に達する操作に対応する規則的タスクが存在するかを検出するステップと、
規則的タスクが存在する場合、固定時刻に、対応する規則的タスクアイテムであって、再び固定時刻に到達したとき家電機器が規則的タスクを実行する規則的タスクアイテムを設定するステップとを含む。
【０００８】
好ましくは、固定時刻に、対応する規則的タスクアイテムを設定するステップは、
第１の問い合わせ情報であって、固定時刻に、対応する規則的タスクアイテムを設定するかを問い合わせするための第１の問い合わせ情報をモバイル端末に送信するステップと、
モバイル端末が送信した第１のフィードバック情報を受信するステップと、
第１のフィードバック情報が確認を表示する場合、固定時刻に規則的タスクアイテムを設定するステップとを含む。
【０００９】
好ましくは、再び固定時刻に到達したとき、規則的タスクアイテムに基づいて規則的タスクを実行するステップは、
再び固定時刻に到達したとき、家電機器が規則的タスクを既に実行したかかを検出するステップと、
家電機器が規則的タスクを実行しなかった場合、規則的タスクを実行するステップとを含む。
【００１０】
好ましくは、再び固定時刻に到達したとき、規則的タスクアイテムに基づいて規則的タスクを実行するステップは、
再び固定時刻に到達したとき、第２の問い合わせ情報であって、家電機器が規則的タスクを実行することを許可するかを問い合わせするための第２の問い合わせ情報をモバイル端末に送信するステップと、
モバイル端末が送信した第２のフィードバック情報を受信するステップと、
第２のフィードバック情報が実行を許可することを表示する場合、規則的タスクを実行するステップとを含む。
【００１１】
好ましくは、再び固定時刻に到達したとき、規則的タスクアイテムに基づいて規則的タスクを実行するステップは、
規則的タスクが、モバイル端末、ホームゲートウェイ装置又はサーバに保存され、また、再び固定時刻に到達したとき、モバイル端末、ホームゲートウェイ装置又はサーバーが家電機器に、家電機器を制御して規則的タスクを実行するための制御コマンドを送信するステップを含む。
【００１２】
好ましくは、前記方法は、
予設情報であって、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む予設情報を取得するステップと、
予設情報が予設条件であって、空気品質情報が空気品質が予設空気品質よりも悪いと表示すること、光の強さが予設光の強さよりも低いこと、音の強さが予設音の強さより低いこと、及び最近１回使用された使用時刻が所定時間長さ前の時刻であることのうちの少なくとも一つを含む予設条件を満たすかを検出するステップと、
予設情報が予設条件を満たした場合、ホームゲートウェイ装置を介して家電機器及び家電機器と同一のＬＡＮに位置する他の家電機器をオフにするステップとを含む。
【００１３】
また、本発明の第２の態様に係るタスク設定装置は、
ユーザーが家電機器を操作した操作履歴を取得するように配置された操作履歴取得モジュールと、
操作記録取得モジュールが取得した操作履歴に基づいて規則的タスクであって、固定時刻に同一の操作を受信した回数が所定回数に達する操作に対応する規則的タスクが存在するかを検出するように配置されたタスク検出モジュールと、
タスク検出モジュールの検出結果が規則的タスクが存在することを表示する場合、固定時刻に、対応する規則的タスクアイテムであって、再び固定時刻に到達したとき家電機器が規則的タスクを実行する規則的タスクアイテムを設定するように配置されたタスクアイテム設定モジュールとを含む。
【００１４】
好ましくは、当該タスクアイテム設定モジュールは、
第１の問い合わせ情報であって、固定時刻に、対応する規則的タスクアイテムを設定するかを問い合わせするための第１の問い合わせ情報をモバイル端末に送信するように配置された第１の問い合わせ情報送信サブモジュールと、
モバイル端末が送信した第１のフィードバック情報を受信するように配置された第１のフィードバック情報受信サブモジュールと、
第１のフィードバック情報受信サブモジュールが受信した第１のフィードバック情報が確認を表示する場合、固定時刻に規則的タスクアイテムを設定するように配置されたタスクアイテム設定サブモジュールとを含む。
【００１５】
好ましくは、当該装置は、
再び固定時刻に到達したとき、規則的タスクアイテムに基づいて規則的タスクを実行するように配置されたタスク実行モジュールをさらに含む。
【００１６】
好ましくは、当該タスク実行モジュールは、
再び固定時刻に到達したとき、家電機器が規則的タスクを既に実行したかを検出するように配置されたタスク検出サブモジュールと、
タスク検出サブモジュールの検出結果が家電機器が規則的タスクを実行しなかったことを表示する場合、規則的タスクを実行するように配置された第１のタスク実行サブモジュールとを含む。
【００１７】
好ましくは、当該タスク実行モジュールは、
再び固定時刻に到達したとき、第２の問い合わせ情報であって、家電機器が規則的タスクを実行することを許可するかを問い合わせするための第２の問い合わせ情報をモバイル端末に送信するように配置された第２の問い合わせ情報送信サブモジュールと、
モバイル端末が送信した第２のフィードバック情報を受信するように配置された第２のフィードバック情報受信サブモジュールと、
第２フィードバック情報受信サブモジュールが受信した第２のフィードバック情報が実行を許可することを表示する場合、規則的タスクを実行する第２のタスク実行サブモジュールとを含む。
【００１８】
好ましくは、当該タスク実行モジュールは、規則的タスクがモバイル端末、ホームゲートウェイ装置又はサーバに保存され、再び固定時刻に到達したとき、モバイル端末、ホームゲートウェイ装置又はサーバーが家電機器に、家電機器を制御して規則的タスクを実行するための制御コマンドを送信するように配置される。
【００１９】
好ましくは、当該装置は、
予設情報であって、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む予設情報を取得するように配置された情報取得モジュールと、
予設情報が予設条件であって、空気品質情報が空気品質が予設空気品質より悪いと表示すること、光の強さが予設光の強度よりも低いこと、音の強さが予設強さより低いこと、及び最近１回使用された使用時刻が所定時間長さ前の時刻であることのうちの少なくとも一つを含む予設条件を満たすかを検出するように配置された条件検出ユニットと、
条件検出モジュールの検出結果が予設情報が予設条件を満足することを表示する場合、ホームゲートウェイ装置を介して家電機器及び家電機器と同一のＬＡＮに位置する他の家電機器をオフにするように配置された装置オフモジュールとを含む。
【００２０】
本発明の第３の態様に係るタスク設定装置は、
プロセッサと、
プロセッサが実行可能なコマンドを記憶するメモリーとを含み、
ここで、プロセッサは、ユーザーが家電機器を操作した操作履歴を取得し、操作履歴に基づいて規則的タスクであって、固定時刻に同一の操作を受信した回数が所定回数に到達した操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定するように配置される。
【発明の効果】
【００２１】
本発明の実施形態が提供した技術方案によれば、下記のような有益な効果を獲得できる。
【００２２】
ユーザーが家電機器を操作した操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、固定時刻に到達したとき家電機器が規則的タスクを実行する規則的タスクアイテムを設定することにより、関連技術に存在する、家電機器がユーザーに適時にサービスを提供不可能な問題を解決し、固定時刻に到達したとき家電装置が規則的タスクを実行することができ、家電機器がいつでもユーザーにユーザーが需要するサービスを提供する効果に達することができる。
【００２３】
なお、上記一般的記述及び後述の詳細な記載は、例示的なものに過ぎず、本発明を限定しない。
【００２４】
ここでの図面は本明細書に組み込まれるとともに本明細書の一部を構成し、本発明に合致する実施形態を示し、本明細書と一緒に本発明の原理を説明する。
【図面の簡単な説明】
【００２５】
【図１】一部の実施形態に係るタスク設定方法に関連する実施環境を示す説明図である。
【図２】一実施形態に係るタスク設定方法を示すフローチャートである。
【図３Ａ】他の一実施形態に係るタスク設定方法を示すフローチャートである。
【図３Ｂ】一実施形態に係る携帯端末が第１の問い合わせ情報を表示する説明図である。
【図３Ｃ】一実施形態に係る携帯端末が第２の問い合わせ情報を表示する説明図である。
【図３Ｄ】一実施形態に係る携帯端末がトリガ信号を家電機器に送信する場合の表示説明図である。
【図３Ｅ】一実施形態に係る携帯端末が第１のフィードバック情報をモバイル家電機器にフィードバックする前の表示説明図である。
【図４】他の一実施形態に係るタスク設定方法を示すフローチャートである。
【図５】他の一実施形態に係るタスク設定方法を示すフローチャートである。
【図６】一実施形態に係るタスク設定装置を示すブロック図である。
【図７】他の一実施形態に係るタスク設定装置を示すブロック図である。
【図８】一実施形態に係るタスクを設定する装置を示すブロック図である。
【発明を実施するための形態】
【００２６】
ここで、一実施形態について詳細に説明し、その例示は図面に表示する。下記の記載が図面に係る場合、別の説明がないと、別の図面の同一の数字は互いに同じ又は似ている要素を表示する。下記の一実施形態に記載した実施例は、本発明と一致したすべての実施形態を代表するものではなく、添付された特許請求の範囲に記載された本発明のいくつかの方面と一致した装置及び方法の例示に過ぎない。
【００２７】
図１は、本発明の各実施形態に係る実施環境の構成を示す説明図である。図１に示すように、当該実施環境は、家電機器１１０、ホームゲートウェイ装置１２０、モバイル端末１３０及びサーバ１４０を備えて構成される。
【００２８】
家電機器１１０は、有線又は無線インターネットを介してホームゲートウェイ装置１２０にアクセスされ、また、ホームゲートウェイ装置１２０を介してモバイル端末１３０とサーバ１４０との間の接続を実現する。実際に実現する場合、当該家電機器１１０は空気清浄器、空気品質の検出器、浄水器、又は空調機であってもよい。ホームゲートウェイ装置１２０はルータであってもよい。
【００２９】
モバイル端末１３０は、クライアントが設定される。当該クライアントは、サービス提供方から提供されたクライアントであり、ユーザーは、当該クライアントを介して家電機器１１０を制御することができる。実際に実現する場合、モバイル端末１３０及び家電機器１１０が同一のＬＡＮに位置すると、モバイル端末１３０は、ホームゲートウェイ装置１２０を介して家電機器１１０を検索することができ、さらに家電機器１１０と結合関係を確立することができ、家電機器１１０は、１つ以上のモバイル端末１３０と結合関係を確立することができる。
【００３０】
サーバー１４０は、サービス提供方から提供されたバックグラウンドサーバであり、モバイル端末１３０におけるクライアントと結合して、ユーザーにサービスの提供方から提供されたサービスを提供する。
【００３１】
図２は、一実施形態に係るタスク設定方法を示すフローチャートである。本実施形態は、当該タスク設定方法が図１に示された実施環境に適用されることを例として説明する。図２に示すように、当該タスク設定方法は、下記のようなステップを含む。
【００３２】
ステップ２０１：ユーザーが家電機器を操作した操作履歴を取得する。
【００３３】
ステップ２０２：操作履歴に基づいて、規則的タスクが存在するかを検出する。規則的タスクは、固定時刻に同一の操作を受信した回数が所定回数に達する操作に対応するタスクである。
【００３４】
ステップ２０３：規則的タスクが存在する場合、固定時刻に、対応する規則的タスクアイテムを設定する。規則的タスクアイテムは、再び固定時刻に到達したとき家電機器が規則的タスクを実行するタスクアイテムである。
【００３５】
上記によれば、本発明の実施形態に係るタスク設定方法は、ユーザーが家電機器を操作した操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテム設定することにより、関連技術に存在する家電機器が適時にユーザーにサービスを提供不可能な問題を解決することができ、固定時刻に到達したとき、家電機器が規則的タスクを実行することができ、ひいては家電機器がいつでもユーザーに必要なサービスを提供する効果に達することができる。
【００３６】
上記実施形態に開示されたタスク設定方法は、図１に図示された家電機器１１０に適用されることができ、ホームゲートウェイ装置１２０又はモバイル端末１３０又はサーバー１４０に適用することができる。そして、ホームゲートウェイ装置１２０とサーバ１４０の実現方式が似ているため、以下、３つの実施形態に分けて、当該タスク設定方法が家電機器１１０、ホームゲートウェイ装置１２０及びモバイル端末１３０に適用されることについて紹介する。
【００３７】
図３Ａは、一実施形態に係るタスク設定方法を示すフローチャートである。本実施形態は、当該タスク設定方法を図１に示した家電機器１１０に適用することを例に挙げて説明する。図３Ａに示すように、そのタスク設定方法は、下記のようなステップを含む。
【００３８】
ステップ３０１：家電機器は、ユーザーが家電機器を操作した操作履歴を取得する。
【００３９】
ユーザーが家電機器を操作するとき、家電機器は、ユーザーの操作履歴を記録するとともに保存することができる。ここで、操作記録は、操作時間や、操作種類を含むことができる。
【００４０】
例えば、家電機器が空気清浄器である場合を例にすると、ユーザーが１７:００時に空気清浄器を操作して、省電力モードに設定するとき、空気清浄器が記録した操作履歴は、操作時間：１７:００時、及び、操作タイプ：省電力モードの設定を含む。
【００４１】
後で、家電機器がそれぞれの操作記録を使用しようとする場合、ローカルに保存された操作履歴を直接読み取ることができる。
【００４２】
ステップ３０２：家電機器は操作履歴に基づいて、規則的タスクが存在するかを検出する。規則的タスクは、固定時刻に同一の操作を受信した回数が所定回数に達する操作に対応するタスクである。
【００４３】
実際に実現する場合、家電機器が操作履歴に基づいて、規則的タスクが存在するかを検出する検出方法は、下記のような二つを含むことができる。
【００４４】
一つは、家電機器が取得した操作履歴を分析し、分析した結果に基づいて、規則的タスクが存在するかを検出する。
【００４５】
家電機器は、取得した操作履歴を直接分析することができ、分析した結果に、固定時刻に同一の操作を受信した回数が所定回数に達する操作が存在するかを検出し、検出結果がその操作が存在すると表示する場合、その操作に対応するタスクを規則的タスクに確定する。
【００４６】
家電機器は、単位時間帯内の操作履歴を分析することができ、単位時間帯内の固定時刻に同一の操作を受信した回数を統計し、統計回数が所定回数に達しているかを検出する。検出結果が所定回数に達したと表示する場合、家電機器は、その操作に対応するタスクを規則的タスクに確定する。ここで、単位時間帯は１日、１週間、１ヶ月又は２ヶ月などであってもよい。
【００４７】
例えば、所定の回数が４回、単位時間帯が１週間であるとすると、家電機器は、それぞれの操作履歴を分析した後、ユーザーが過去１週間の５日間、毎日の１７:００時に空気清浄器を省電力モードに設定したことを発見することができ、家電機器が１７:００時に受信した空気清浄器の省電力・浄化モードの設定回数が所定回数である４回に達したと検出される場合、家電機器は１７:００時に空気清浄器の省電力・浄化モードの設定を規則的タスクに確定する。
【００４８】
同様に、操作記録に、毎日２０:００時に空気清浄器をオフにする操作記録が存在する場合、家電機器は、毎日２０:００時に空気清浄器をオフにするタスクを規則的タスクに確定することができる。
【００４９】
他の一つは、家電機器は、操作履歴をサーバーに送信し、サーバーは操作履歴記録を分析して、家電機器に分析結果をフィードバックする。家電機器は、受信した分析結果に基づいて、規則的タスクが存在するかを検出する。
【００５０】
もう一つ可能な実現方式は、家電機器が操作履歴をサーバーに送信してもよい。サーバーは、操作履歴を受信し、その操作履歴を分析し、分析結果を家電機器にフィードバックする。対応的に、家電機器は、サーバーがフィードバックした分析結果を受信し、分析結果に基づいて、規則的タスクが存在するかを検出する。この方法は、上記の実現方法と似ているため、本実施形態はここで冗長に説明しない。
【００５１】
ステップ３０３：規則的タスクが存在する場合、家電機器は第１の問い合わせ情報をモバイル端末に送信する。第１の問い合わせ情報は、固定時刻に、対応する規則的タスクアイテムを設定するかを問い合わせるための情報である。
【００５２】
家電機器の検出結果が規則的タスクが存在すると表示する場合、家電機器は、第１の問い合わせ情報をモバイル端末に送信することができる。ここで、第１の問い合わせ情報は、固定時刻に、対応する規則的タスクアイテムを設定するかを問い合わせするための情報である。
【００５３】
対応的に、モバイル端末は、第１の問い合わせ情報を受信し、受信した第１の問い合わせ情報を表示することができる。
【００５４】
ユーザーは、モバイル端末が表示した第１の問い合わせ情報を確認した後、ユーザーは応答することができ、モバイル端末を操作して、第１のフィードバック情報を家電機器に送信することができる。例えば、ユーザーが固定時刻に規則的タスクアイテムを設定することに同意すると、ユーザーはモバイル端末操作して確認を表示するフィードバック情報を家電機器にフィードバックし、ユーザーが固定時刻に規則的タスクアイテムを設定することに同意しない場合は、ユーザーは、モバイル端末操作して拒絶を表示するフィードバック情報を家電機器にフィードバックする。
【００５５】
例えば、図３Ｂを参照すると、モバイル端末は「あなたは何度も１７:００時に省電力・浄化モードに設定しました。自動設定にしますか？」という第１の問い合わせ情報を表示することができる。ユーザーが同意すると、ユーザーは、「確認」をクリックし、ユーザーが同意しない場合、ユーザーは、「後で」をクリックする。本実施形態は、これに対して限定しない。
【００５６】
ステップ３０４：家電機器は、携帯端末が送信した第１のフィードバック情報を受信する。
【００５７】
家電機器は、対応的にモバイル端末が送信した第１のフィードバック情報を受信することができる。
【００５８】
ステップ３０５：第１フィードバック情報が確認を表示する場合、家電機器は、固定時刻に規則的タスクアイテムを設定する。
【００５９】
家電機器が受信した第１のフィードバック情報が確認を表示すると、家電機器は、固定時刻に規則的タスクアイテムを設定する。ここで、規則的タスクアイテムは、再び固定時刻に到達したとき、規則的タスクを実行するタスクアイテムである。
【００６０】
家電機器が受信した第１のフィードバック情報が拒絶を表示すると、家電機器は、フローを終了する。
【００６１】
ステップ３０６：再び固定時刻に到達したとき家電機器は規則的タスクアイテムに基づいて規則的タスクを実行する。
【００６２】
家電機器が固定時刻に規則的タスクアイテムを設定した後、再び固定時刻に到達したとき、家電機器は事前に設定された規則的タスクアイテムに基づいて規則的タスクを実行する。
【００６３】
実際に実現する場合、家電機器が規則的タスクアイテムに基づいて規則的タスクを実行する実現方式は下記のような二つを含むことができる。
【００６４】
一つの実現方式では、当該ステップは、
一つは、再び固定時刻に到達したとき、家電機器が既に規則的タスクを実行したかを検出する。
【００６５】
再び固定時刻に到達したとき、家電機器は、家電機器が既に規則的タスクを実行したかを検出することができる。
【００６６】
本実施形態では、「家電機器が規則的タスクを既に実行したか」には、家電機器が当該規則的タスクの実行を完了したこと、及び/又は家電機器が当該規則的タスクを実行していることを含む。
【００６７】
他の一つは、家電機器が規則的タスクを実行しない場合、規則的タスクを実行する。
【００６８】
家電機器が規則的タスクを実行しない場合、家電機器は、規則的タスクを実行する。
【００６９】
家電機器が当該規則的タスクを既に実行したら、家電機器は本フローを終了する。本実施はこれに対して限定しない。
【００７０】
もう一つの実現方法では、当該ステップは、
一つは、再び固定時刻に到達したとき、第２の問い合わせ情報をモバイル端末に送信する。第２の問い合わせ情報は、家電機器が規則的タスクの実行を許可するかを問い合わせするための情報である。
【００７１】
もう一つ可能な実現方式は、固定時刻に到達したとき、家電装置は第２の問い合わせ情報をモバイル端末に送信する。ここで、第２問い合わせは、家電機器が規則的タスクの実行を許可するかを問い合わせるための情報である。
【００７２】
モバイル端末は、対応して、当該第２の問い合わせ情報を受信し、受信した当該第２の問い合わせ情報を表示する。後で、ユーザーが、家電機器が当該規則的タスクを実行することに同意する場合、モバイル端末を操作して、操作を許可することを示している第２のフィードバック情報を家電機器に送信し、ユーザーが、家電機器が当該規則的タスクを実行することに同意しない場合、モバイル端末を操作して、操作を許可しないことを示す第２のフィードバック情報を家電機器に送信する。
【００７３】
例えば、空気清浄器が送信した第１の問い合わせ情報が「空気清浄器をまもなく省電力・浄化モードに設定します。許可しますか？」である場合、モバイル端末は、図３Ｃに示されたインターフェイスを表示することができる。後で、ユーザーが設定を許可する場合、ユーザーは同意をクリックし、ユーザーが設定を許可しない場合、ユーザーは拒絶をクリックすることができる。
【００７４】
他の一つは、モバイル端末が送信した第２のフィードバック情報を受信する。
【００７５】
対応的に、家電機器はモバイル端末が送信した第２のフィードバック情報を受信することができる。
【００７６】
さらに他の一つは、第２のフィードバック情報が実行を許可することを表示する場合、規則的タスクを実行する。
【００７７】
家電機器が受信した当該第２のフィードバック情報が実行を許可することを示している情報である場合、ユーザーが家電機器が規則的タスクを実行をことを許可することを説明する。この時、家電機器は、当該規則的タスクを実行することができる。
【００７８】
逆に、家電機器が受信した当該第２のフィードバック情報が実行を許可しないことを示す情報である場合、ユーザーが家電機器が当該規則的タスクを実行することを許可しないことを説明する。この時、家電機器は規則的タスクを実行せず、本フローを終了する。
【００７９】
なお、本実施形態は、単に上記可能な実現方法を単独に使用して規則的タスクを実行することを例にしたが、実際に実現する場合、家電機器は、前記二つの可能な実現方式を同時に採用することができる。又は、家電機器は、固定時刻に到達したとき、当該規則的タスクを自動的に実行する。本実施形態はこれに対して限定しない。
【００８０】
なお、ステップ３０３の前に、家電機器は、さらに、モバイル端末が送信したトリガ信号を受信することができる。そのトリガ信号は、ユーザーがモバイル端末のクライアントを介して家電機器を動作させる時送信した情報である。
【００８１】
例えば、図３Ｄを参照すると、ユーザーが図３Ｄ中の動作ウィジェット３１をクリックする場合、モバイル端末は、トリガ信号を家電機器に送信する。以降、家電機器はステップ３０１、３０２を実行した後、第１の問い合わせ情報をモバイル端末に送信する。つまり、モバイル端末は、図３Ｂに図示されたインターフェースを対応的に表示する。本実施はこれに対して限定しない。
【００８２】
なお、家電機器が検出した規則的タスクが、固定時間帯内のタスクである場合、例えば、当該規則的タスクが「１７：００時〜２０：００時の間に省電力・浄化モードを設定する」である場合、携帯端末が図３Ｂを表示し、ユーザーが操作した確認情報を受信した後、モバイル端末は、図３Ｅに示した表示インターフェイスに転換することができる。ユーザーは、表示インターフェイスにおいて規則的タスクに対応する時間帯を設定し、設定完了後、第１のフィードバック情報を家電機器に送信する。本実施はこれに対して限定しない。
【００８３】
つまり、本発明の実施形態に係るタスク設定方法は、ユーザーが操作した家電機器の操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定の時刻に、対応する規則的タスクアイテムであって、再び固定時刻に到達したとき家電機器が規則的タスクを実行するタスクアイテムを設定することにより、関連技術に存在する家電機器がユーザーにサービスを適時に提供不可能な問題を解決し、固定時刻に到達したとき家電機器が規則的タスクを実行することができて、家電機器がユーザーに需要サービスをいつでも提供することができる効果をもたらすことができる。
【００８４】
本実施形態は、第１の問い合わせ情報をモバイル端末に送信し、また受信したフィードバック情報が確認を表示し、すなわち、ユーザーが固定時刻に規則的タスクアイテムを設定することに同意する場合のみに、家電機器は固定時刻に規則的タスクアイテムを設定する。したがって、家電機器の運転がユーザーの期待にさらに適合され、ユーザーの体験をさらに向上することができる。
【００８５】
同時に、規則的タスクアイテムを設定した後、再び固定時刻に到達すると、家電機器は規則的タスクアイテムに基づいて規則的タスクを実行することができる。したがって、関連技術では、ユーザーが家電機器の操作を忘れてしまった場合、家電機器が何のタスクも実行しない問題を解決することができる。
【００８６】
また、本実施形態では、規則的タスクを実行する前に、ユーザーが操作を許可するかを問い合わせ、ユーザーが操作を許可すると、規則的タスクを実行することにより、ユーザーの使用体験をさらに向上することができる。
【００８７】
なお、上記実施例では、タスクを設定する方法は、
第１、家電機器が予設情報を取得するステップを含む。予設情報は、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む。
【００８８】
予設情報が空気品質情報を含む場合、家電機器が空気品質の検出能力を備えた装置（例えば、空気清浄器や空気品質検出器）であると、家電機器は環境の空気品質を直接検出することができ、空気品質情報を取得することができる。家電機器が空気品質の検出能力を備えていない場合、家電機器はホームゲートウェイ装置を介して同一のＬＡＮに位置する空気品質の検出能力を備えた他の装置からの空気品質の情報を取得することができる。
【００８９】
予設情報が家電機器所在環境の第１の所定時間帯内の光の強さを含む場合、家電機器が光の強さを採集する能力を備えると、第１の所定時間帯内に所在環境の光の強さを採集し取得した光の強さを保存することができる。後で、光の強さを使用する場合、保存された光の強さを読み出す。例えば、家電機器は、所在環境の「１７：００時〜２０：００時」間の光の強さを直接採集する。しかし、家電機器が光の強さを採集する能力を備えていない場合、ホームゲートウェイ装置を介してホームゲートウェイ装置と接続された光の強さを採集する能力を備えた他の家電機器により所在環境の光の強さを取得することができる。光の強さは、光の強さを採集する能力を備えた他の家電機器が事前に採集した光の強さであってもよい。本実施形態はこれに対して限定しない。
【００９０】
予設情報が家電機器所在環境の第２の所定時間帯内の光の強さを含む場合、家電機器が音の強さを採集する能力を備えると、第２の所定時間帯内の所在環境の音の強さを直接採集することができる。例えば、所在環境の「１９：３０時-２１：３０時」間の音の強さを採集する。しかし、家電機器が音の強さの採集能力を備えていない場合、ホームゲートウェイ装置を介してホームゲートウェイ装置と接続された音の強さの採集能力を備えた他の家電機器により、所在環境の音の強さを取得することができる。音の強さは、音の強さを採集する能力を備えた家電機器が事前に採集した音の強さであってもよい。本実施形態はこれに対して限定しない。ここで、第２の所定時間帯と第１の所定時間帯は、同じ時間帯であってもよいが、異なる時間帯であってもよい。本実施形態はこれに対して限定しない。
【００９１】
予設情報が家電機器及び/又は家電機器と同一のＬＡＮに位置する家電機器が最近１回使用された使用時刻を含む場合、家電機器は、それ自体が最近１回使用された使用時刻を取得し、又は、ホームゲートウェイを介して同一のＬＡＮに位置する他の家電機器が最近１回使用された使用時刻を取得し、又は家電機器は、それ自体が最近１回使用された使用時刻及び同一のＬＡＮに位置する他の家電機器が最近１回使用された使用時刻を取得することができる。
【００９２】
第２、家電機器は、予設情報が予設条件を満足するかを検出する。予設条件は、空気品質情報が空気品質が予設空気品質よりも悪いと示すこと、光の強さが予設光の強度よりも低いこと、音の強さが予設強さよりも小さいこと、及び、最近１回使用された使用時刻が所定時間前の時刻のうちの少なくとも一つを含む。
【００９３】
家電機器が予設情報を取得した後、家電機器は、当該予設情報が予設条件を満たすかを検出することができる。
【００９４】
予設情報が空気品質情報を含む場合、家電機器は、当該空気品質情報が表示する空気品質が予設空気品質よりも悪いかを検出する。検出結果が予設空気品質よりも悪いことを表示すると、家電機器は、家電機器所在環境が長い間掃除されておらず、ユーザーが長い時間家に住んでいない可能性があり、当該予設情報が対応する条件を満たす。検出結果が予設空気品質よりも悪くないことを表示すると、周囲の空気品質が比較的良く、ユーザーがよく掃除し、当該予設情報が対応する条件を満足しない。
【００９５】
予設情報が家電機器所在環境の第１の所定時間帯内の光の強さを含む場合、家電機器は、取得した光の強さが予設光の強度よりも小さいかを検出する。第１の所定時間帯は夜の任意の時間帯であり、また、検出結果が光の強さが予設光の強度よりも小さいことを表示すると、ユーザーが第１の所定時間帯内に照明やＴＶのような照明家電を動作していないことを説明する。このとき、ユーザーはまだ家に帰っていない可能性があり、当該予設情報が対応する条件を満足する。しかし、検出結果が予設光の強度よりも小さいことを表示すると、ユーザーが当該第１の所定時間帯内に正常に照明家電を動作させる。つまり、ユーザーが既に家に帰っている可能性があり、当該予設情報が対応する条件を満足することを説明する。
【００９６】
予設情報が家電機器所在環境の第２の所定時間帯内の音の強さを含む場合、家電機器は、取得した音の強さが予設強さよりも小さいかを検出する。第１の所定時間帯が夜の任意の時間帯であり、検出結果が音の強さが予設強さより小さいことを表示すると、ユーザーが当該第２の所定時間帯内にまだ家に帰っていない可能性があり、当該予設情報が対応する条件を満足することを説明する。しかし、検出結果が予設強さよりも小さくないことを表示すると、ユーザーが当該第２の所定時間帯内に既に家に帰っている可能性があり、当該予設情報が対応する条件を満たしていないことを説明する。
【００９７】
予設情報が最近１回使用された使用時刻を含む場合、家電機器は、当該使用時刻が所定時間前の時刻であるかを検出する。検出結果が所定時間前の時刻であることを表示すると、家電機器は、家電機器が長い間使用されておらず、ユーザーが長い時間家に帰っていらず、当該予設情報が対応する条件を満足する。しかし、検出結果が所定時間前の時刻でないことを示した場合、家電が最近使用されたばかりであり、つまりユーザーが正常に家電機器を使用し、当該予設情報が対応する条件を満足することを説明する。
【００９８】
なお、本実施形態は、単に予設情報が上記４つの情報を含むことを例に挙げて説明したが、実際に実現する場合、予設情報は他の情報であってもよい。本実施形態はこれに対して限定しない。また、予設情報が少なくとも２つ以上を含む場合、少なくとも２つ以上の情報のすべてが対応する条件を満足するとき、当該予設情報が予設条件を満足すると設定することができ、又は、少なくとも２つ以上の情報における条件を満足する数が所定の数に達すると、当該予設情報が予設条件を満足すると判定するように設定することができる。本実施形態はこれに対して限定しない。
【００９９】
第３、予設情報が予設条件を満足する場合、家電機器は、ホームゲートウェイ装置を介して家電機器や家電機器と同一のＬＡＮに位置する家電機器をオフにする。
【０１００】
家電機器の検出結果が予設情報が予設条件を満足すると表示する場合、ユーザーが長い時間外出していることを説明する。この時、電気を安全に使用し、エネルギーを節約するために、家電機器は、ホームゲートウェイ装置を介して家電機器や当該家電機器と同一のＬＡＮに位置する家電機器をオフにすることができる。
【０１０１】
実際に実現する場合、家電機器は、自体や同一のＬＡＮに位置する家電機器をオフにする前に、家電機器は、さらに、ホームゲートウェイ装置を介して第３の問い合わせ情報をモバイル端末に送信する。第３の問い合わせ情報は、家電機器や家電機器と同一のＬＡＮに位置する家電機器をオフにするかを問い合わせするため情報である。モバイル端末がフィードバックした情報がオフに同意することを表示すると、それぞれの家電機器をオフにする。こうして、それぞれの家電機器の運転は、ユーザーの使用習慣にさらに合致し、ユーザーの使用体験を向上することができる。
【０１０２】
図４は、一実施形態に係るタスク設定方法を示すフローチャートである。本実施形態では、そのタスク設定方法を、図１に示されたホームゲートウェイ装置１２０に適用することを例に挙げて説明する。図４に示すように、そのタスク設定方法は、下記のようなステップを含む。
【０１０３】
ステップ４０１：ホームゲートウェイ装置は、ユーザーが家電機器を操作した操作履歴を取得する。
【０１０４】
ユーザーが家電機器を操作するとき、家電機器は、ユーザーの操作履歴を記録して保存し、又は記録された操作の履歴をホームゲートウェイ装置に保存し、又はホームゲートウェイ装置を介して操作記録をモバイル端末に送信し、又はホームゲートウェイ装置を介して操作記録をサーバーに送信する。
【０１０５】
以降、ホームゲートウェイ装置が操作履歴を使用する場合は、ホームゲートウェイ装置は、操作履歴を取得することができる。
【０１０６】
実際に実現する場合、ホームゲートウェイ装置が操作履歴を取得する取得方法は、下記のような方法のうちの少なくとも一つを含む。
【０１０７】
第１、操作履歴がホームゲートウェイに保存された場合、ホームゲートウェイ装置は、事前に保存された操作履歴を直接読み取ることができる。
【０１０８】
第２、操作履歴が家電機器に保存された場合、ホームゲートウェイ装置は、操作履歴を取得する第１の取得請求を家電機器に送信し、家電機器が第１の取得請求を受信すると、その操作履歴をホームゲートウェイ情報に送信する。
【０１０９】
第３、操作履歴がサーバーに保存された場合、ホームゲートウェイ装置は、操作履歴を取得する第２の取得請求をサーバーに送信し、サーバーは、第２の取得請求を受信した後、操作履歴をホームゲートウェイに送信する。
【０１１０】
ステップ４０２：ホームゲートウェイ装置は、操作履歴に基づいて、規則的タスクが存在するかを検出する。規則的タスクは、固定時刻に同一の操作を受信した回数が所定回数に達する操作に対応するタスクである。
【０１１１】
ホームゲートウェイ装置が操作履歴を取得した後、ホームゲートウェイ装置は、操作履歴に基づいて、規則的タスクが存在するかを検出する。これは、家電機器が規則的タスクが存在するかを検出する方法と似ている。よって、本実施形態では冗長に説明しないことにする。
【０１１２】
ステップ４０３：規則的タスクが存在する場合、ホームゲートウェイ装置は、第１の問い合わせ情報をモバイル端末に送信する。第１の問い合わせ情報は、固定時刻に、対応する規則的タスクアイテムを設定するかを問い合わせするための情報である。
【０１１３】
ホームゲートウェイ装置の検出結果が規則的タスクが存在することを表示すると、ホームゲートウェイ装置は、第１の問い合わせ情報をモバイル端末に送信する。ここで、第１の問い合わせ情報は、固定時刻に、対応する規則的タスクアイテムを設定するかを問い合わせするための情報である。
【０１１４】
対応的に、モバイル端末は、第１の問い合わせ情報を受信することができ、受信した当該第１の問い合わせ情報を表示する。
【０１１５】
ユーザーは、モバイル端末が表示された第１の問い合わせ情報を確認した後、ユーザーは応答することができ、モバイル端末を操作して、フィードバック情報をホームゲートウェイ装置に送信する。ユーザーが固定時刻に規則的タスクアイテムを設定することに同意すると、ユーザーは、モバイル端末を操作して、確認を表示するフィードバック情報をホームゲートウェイ装置に送信することができる。ユーザーが固定時刻に規則的タスクアイテムを設定することに同意しない場合は、ユーザーは、モバイル端末を操作して拒絶を表示するフィードバック情報をホームゲートウェイ装置に送信することができる。
【０１１６】
これは、上記実施例のステップ３０３に類似して、本実施形態では、ここで冗長に説明していない。
【０１１７】
ステップ４０４：ホームゲートウェイ装置は、モバイル端末が送信した第１のフィードバック情報を受信する。
【０１１８】
ホームゲートウェイ装置は、対応的に、モバイル端末が送信した第１のフィードバック情報を受信することができる。
【０１１９】
ステップ４０５：第１フィードバック情報が確認を表示する場合、ホームゲートウェイ装置は、固定時刻に規則的タスクアイテムを設定する。
【０１２０】
ホームゲートウェイ装置が受信した第１のフィードバック情報が確認を表示する場合、ホームゲートウェイ装置は、固定時刻に規則的タスクアイテムを設定することができる。ここで、当該規則的タスクのアイテムは、再び固定時刻に到達したとき、規則的タスクを実行するタスクアイテムである。
【０１２１】
しかし、ホームゲートウェイ装置が受信した第１のフィードバック情報が拒絶を表示すると、ホームゲートウェイ装置は、フローを終了する。
【０１２２】
ステップ４０６：再び固定時刻に到達したとき、ホームゲートウェイ装置は、規則的タスクアイテムに基づいて規則的タスクを実行する。
【０１２３】
再び固定時刻に到達したとき、ホームゲートウェイ装置は、家電機器に、家電機器を制御して規則的タスクを実行するための制御コマンドを送信することができる。対応的に家電機器は、その制御コマンドを受信して、制御コマンドを受信した後、規則的タスクを実行する。
【０１２４】
なお、本実施形態は、単にホームゲートウェイ装置が固定時刻に到達したとき制御コマンドを家電機器に送信することを例に挙げたが、実際に実現する場合、ホームゲートウェイ装置は、規則的タスクアイテムを設定した後、固定時刻の到達を待つ必要がなく、固定時刻を携帯した制御コマンドを家電機器に直接送信することができる。本実施形態はこれに対して限定しない。
【０１２５】
つまり、本発明の実施形態によるタスク設定方法は、ユーザーが家電機器を操作した操作履歴を取得し、操作履歴に基づいて規則的タスクであって、固定時刻に同一の操作を受信した回数が所定回数に到達した操作に対応する規則的タスクが存在するかを検出する。規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器がユーザーに適時にサービスを提供できない問題を解決して固定時刻に到達したとき家電機器が、規則的タスクを実行し、家電機器が常にユーザーに必要なサービスを提供する効果をもたらすことができる。
【０１２６】
本実施形態は、第１の問い合わせ情報をモバイル端末に送信し、受信したフィードバック情報が確認を表示するとき、ユーザーが固定時刻に規則的タスクアイテムを設定することに同意すると、ホームゲートウェイ装置は、固定時刻に規則的タスクアイテムを設定することができる。したがって家電機器の運転がユーザーの期待にさらに適合され、ユーザーの体験をさらに向上することができる。
【０１２７】
同時に、規則的タスクアイテムを設定した後、再び固定時刻に到達したとき、ホームゲートウェイ装置は、家電機器が規則的タスクを実行することを制御することで、関連技術では、ユーザーが家電機器を操作することを忘れてしまった場合、家電機器が何のタスクも実行しない問題を解決することができる。
【０１２８】
なお、上記の実施例では、タスク設定方法は、
第１、ホームゲートウェイ装置が予設情報を取得するステップを含む。予設情報は、家電機器所在環境の空気品質情報、家電機器所在環境の第１の所定時間帯内の光の強さ、家電機器所在環境の第２の所定時間帯内の音の強さ、家電機器及び/又は家電機器と同一のＬＡＮに位置する家電機器が最近１回使用された使用時刻のうちの少なくとも一つを含む。
【０１２９】
予設情報が空気品質情報を含む場合、ホームゲートウェイ装置は、それと接続された空気品質の検出能力を備えた家電機器からの空気品質の情報を取得することができる。その空気品質情報は、空気品質の検出能力を備えた家電機器が事前に取得した情報であってもよい。
【０１３０】
予設情報が家電機器所在環境の第１の所定時間帯内の光の強さを含む場合、ホームゲートウェイ装置は、それと接続された光の強さを採集する能力を備えた家電機器から現在所在環境の第１の所定時間帯内の光の強さを取得することができる。
【０１３１】
その光の強さは、光の強さを採集する能力を備えた家電機器が第１の時間帯内に採集し保存した情報であってもよい。
【０１３２】
予設情報が家電機器所在環境の第２の所定時間帯内の音の強さを含む場合、ホームゲートウェイ装置は、それと接続された光の強さを採集する能力を備えた家電機器から、現在所在環境の第２所定時間帯内の音の強さを取得することができる。音の強さは、音の強さを採集する能力を備えた家電機器が第２の時間帯内に採集し、保存した情報であってもよい。ここで、第２の所定時間帯と第１の所定時間帯は、同じ時間帯であってもよいし、異なる時間帯でもあってもよい。本実施形態はこれに対して限定しない。
【０１３３】
予設情報が家電機器及び/又は家電機器と同一のＬＡＮに位置する家電機器が最近１回使用された使用時刻を含む場合、ホームゲートウェイ装置は、それと接続されたそれぞれの家電機器が最近１回の使用された使用時刻を採集する。
【０１３４】
第２、ホームゲートウェイ装置は、予設情報が予設条件を満足するかを検出するステップを含む、予設条件は、空気品質情報が空気品質が予設空気品質よりも悪いと示すこと、光の強さが予設光の強さよりも小さいこと、音の強さが予設強さよりも小さいこと、及び最近１回使用された使用時刻が所定時間の長さ前の時刻であることのうちの少なくとも一つを含む。
【０１３５】
ホームゲートウェイ装置が予設情報を取得した後、ホームゲートウェイ装置は、予設情報が予設条件を満足するかを検出することができる。その検出方法は、上記実施例の対応するステップと同じであるため、本実施例では、冗長に説明しない。
【０１３６】
なお、本実施形態は、単に予設情報が上記４つのことを含むことを例に挙げて説明したが、実際に実現された場合、予設情報は、他の情報であってもよい。また、予設情報は、少なくとも２つ以上の情報を含む場合、少なくとも２つ以上の情報のすべてが対応する条件を満足すると、予設情報が予設条件を満足すると設定できる。又は、少なくとも２つ以上の情報のうち条件を満足する数が所定数に達したとき、予設情報が予設条件を満足すると判定するように設定する。本実施形態はこれに対して限定しない。
【０１３７】
第３、予設情報が予設条件を満足すると、ホームゲートウェイ装置は、家電機器や家電機器と同一のＬＡＮに位置する家電機器をオフにする。
【０１３８】
ホームゲートウェイ装置の検出結果が予設情報が予設条件を満足すると表示する場合、ユーザーが可能に外出していることを説明する。この時、電気を安全に使用し、エネルギーを節約するために、ホームゲートウェイ装置は、それと接続されたそれぞれの家電機器をオフにすることができる。
【０１３９】
実際に実現する場合、ホームゲートウェイ装置がそれに接続されたそれぞれの家電機器をオフにする前に、ホームゲートウェイ装置は、第３の問い合わせ情報をモバイル端末に送信することができる。第３の問い合わせ情報は、それぞれの家電機器をオフにするかを問い合わせするための情報である。モバイル端末が送信したフィードバック情報がオフに同意する場合、ホームゲートウェイ装置と接続されたそれぞれの電気機器をオフにする。こうして、それぞれの家電機器の運転は、ユーザーの使用習慣にさらに合致し、ユーザーの使用体験を向上することができる。
【０１４０】
なお、当該方法がサーバーに適用する場合、その実現方式はホームゲートウェイ装置での実現方式と類似しており、本実施形態では、ここで冗長に説明しない。
【０１４１】
図５は、一実施形態に係る一つのタスク設定方法を示すフローチャートである。本実施形態では、そのタスク設定方法を、図１に示された、モバイル端末１３０に適用することを例に挙げて説明する。
【０１４２】
図５に示すように、そのタスク設定方法は、下記のようなステップを含むことができる。
【０１４３】
ステップ５０１：モバイル端末は、ユーザーが家電機器を操作した操作履歴を取得する。
【０１４４】
ユーザーが家電機器を操作するとき、家電機器はユーザーの操作履歴を記録し、記録された操作履歴を保存し、又は記録された操作の履歴をホームゲートウェイ装置に保存し、又はホームゲートウェイ装置を介して操作記録をモバイル端末に記録し、又はホームゲートウェイ装置を介して操作記録をサーバーに送信することができる。
【０１４５】
後に、モバイル端末が操作履歴を使用する必要があるとき、モバイル端末は、操作履歴を取得することができる。
【０１４６】
実際に実現する場合、モバイル端末が操作履歴を取得する取得方法は、下記のような方法のうちの少なくとも一つを含む。
【０１４７】
第１、操作履歴がモバイル端末に保存されたとき、モバイル端末は、事前に保存された操作履歴を直接読み取ることができる。
【０１４８】
第２、操作履歴が家電機器に保存されたとき、モバイル端末は、操作履歴を取得する第３の取得請求を家電機器に送信し、家電機器は第３の取得請求を受信した後、操作履歴をモバイル端末に送信する。
【０１４９】
第３、操作履歴がサーバーに保存されたとき、モバイル端末は、操作履歴を取得する第４の取得請求をサーバーに送信し、サーバーが第４の取得請求を受信した後、操作履歴をモバイル端末に中継送信する。
【０１５０】
第４、操作履歴がホームゲートウェイ装置に保存されたとき、モバイル端末は、操作履歴を取得する第５の取得請求をホームゲートウェイ装置に送信し、ホームゲートウェイ装置は、第５の取得請求を受信した後、操作履歴をモバイル端末に中継送信する。
【０１５１】
ステップ５０２：携帯端末は、操作履歴に基づいて、規則的タスクが存在するかを検出する。規則的タスクは、固定時刻に同一の操作を受信する回数が所定回数に達する操作に対応するタスクである。
【０１５２】
モバイル端末は、操作履歴を取得した後、操作履歴に基づいて、規則的タスクが存在するかを検出する。本ステップは、上記実施例のステップ３０２と類似しているため、本実施形態では、ここで冗長に説明しない。
【０１５３】
ステップ５０３：規則的タスクが存在する場合、モバイル端末は、第１の問い合わせ情報を表示する。第１の問い合わせ情報は、固定時刻に、対応する規則的タスクアイテムを設定するかを問い合わせするための情報である。
【０１５４】
上記の各実施形態と異なる点は、本実施形態では、その方法が、モバイル端末に適用されるため、モバイル端末の検出結果が規則的タスクが存在することを表示すると、携帯端末は、第１の問い合わせ情報を直接表示することができる。第１の問い合わせ情報は、固定時刻に、対応する規則的タスクアイテムを設定するかを問い合わせするため情報である。
【０１５５】
ステップ５０４：携帯端末は確認信号を受信し、確認信号を受信した後、固定時刻に規則的タスクアイテムを設定する。
【０１５６】
ユーザーがモバイル端末に第１の問い合わせ情報が表示されるのを見て、且つ、設定を同意すると、ユーザーは、確認信号をトリガすることができる。対応的に、モバイル端末は、確認信号を受信する。
【０１５７】
モバイル端末は確認信号を受信した後、固定時刻に規則的タスクアイテムを設定することができる。
【０１５８】
ユーザーが設定を拒絶する場合、ユーザーは、拒絶信号をトリガすることができる。対応的に、モバイル端末は、拒絶信号を受信し、拒否信号を受信した後、フローを終了する。
【０１５９】
ステップ５０５：再び固定時刻に到達したとき、モバイル端末は、規則的タスクアイテムに基づいて規則的タスクを実行する。
【０１６０】
モバイル端末は、固定時刻に、対応する規則的タスクアイテムを設定した後、再び固定時刻に到達したとき、モバイル端末は、家電機器に家電機器を制御して規則的タスクを実行するための制御コマンドを送信する。対応的に家電機器は、その制御コマンドを受信して、制御コマンドを受信した後、規則的タスクを実行する。
【０１６１】
なお、本実施形態は、単にモバイル端末が固定時刻に到達したとき制御コマンドを家電機器に送信することを例に挙げたが、実際に実現する場合、モバイル端末は、規則的タスクアイテムを設定した後、固定時刻に達するのを待つ必要がなく、固定時刻を携帯した制御コマンドを家電機器に直接送信する。本実施形態はこれに対して限定しない。
【０１６２】
つまり、本発明の実施形態に係るタスク設定方法は、ユーザーが家電機器を操作した歴史的な記録を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器が適時にユーザーにサービスを提供不可能の問題を解決することができ、家電機器は、常にユーザーが需要なサービスを提供する効果に達することができる。
【０１６３】
本実施形態では、固定時刻に、対応する規則的タスクアイテムを設定する前に、まず固定時刻に、対応する規則的タスクアイテムを設定するかを問い合わせし、かつ確認信号を受信した場合、固定時刻に、対応する規則的タスクアイテムを設定する。よって、家電機器の運転は、ユーザーの期待により適合され、ユーザーの体験をさらに向上することができる。
【０１６４】
同時に、規則的タスクアイテムを設定した後、再び固定時刻に到達したとき、モバイル端末は、家電機器を制御して、規則的タスクを実行することができ、関連技術では、ユーザーが家電機器の操作を忘れてしまった場合、家電機器が何のタスクも実行しない問題を解決することができる。
【０１６５】
なお、上記の実施例では、タスク設定方法は、さらに、
第１、モバイル端末は予設情報を取得するステップを含む。予設情報は、家電機器所在環境の空気品質情報、家電機器所在環境の第１の所定時間帯内の光の強さ、家電機器所在環境の第２所定時間帯内の音の強さ、家電機器及び/又は家電機器と同一のＬＡＮに位置する家電機器が最近１回使用された使用時刻のうちの少なくとも一つを含む。
【０１６６】
予設情報が空気品質情報を含む場合、モバイル端末は、ホームゲートウェイ装置を介してホームゲートウェイ装置と接続された空気品質の能力を備えた家電機器から空気品質の情報を取得する。
【０１６７】
予設情報が家電機器所在環境の第１の所定時間帯内の光の強さを含む場合、光の強さを採集する能力を備えた家電機器所在環境の第１の所定時間内の光の強さを採集するすることができ、モバイル端末端末は、ホームゲートウェイ装置を介してホームゲートウェイ装置と接続された光の強さを採集する能力を備えた家電機器から所在環境の第１の所定時間帯内の光の強さを取得する。
【０１６８】
予設情報が家電機器所在環境の第２の所定時間帯内の音の強さを含む場合、音の強さを採集する能力を備えた家電機器は、所在環境の第２の所定時間帯内の音の強さを採集するすることができ、モバイル端末端末は、ホームゲートウェイ装置を介してホームゲートウェイ装置と接続された音の強さを採集する能力を備えた家電機器から所在環境の第２の所定時間帯内の音の強さを取得する。ここで、第２の所定時間帯と第１の所定時間帯は、同じ時間帯であってもよく、異なる時間帯であってもよい。
【０１６９】
予設情報が家電機器及び/又は家電機器と同一のＬＡＮに位置する家電機器が最近１回使用された使用時刻を含む場合、モバイル端末は、ホームゲートウェイ装置を介してホームゲートウェイに接続された各家電機器が最近１回使用された使用時刻を収集する。
【０１７０】
第２、モバイル端末は予設情報が予設条件を満足するかを検出する。予設条件は、空気品質情報が空気品質が予設空気品質よりも悪いと示すこと、光の強さが予設光の強さよりも小さいこと、及び、最近１回使用された使用時刻が所定時間前の時刻のうちの少なくとも一つを含む。
【０１７１】
これは、上記実施形態の対応ステップに類似して、本実施形態では、ここで冗長に説明しない。
【０１７２】
なお、本実施形態は、単に予設情報が上記４つのことを含むことを例に挙げて説明したが、実際に実現する場合、予設情報は、他の情報であってもよい。本実施形態はこれに対して限定しない。また、予設情報は、少なくとも２つ以上を含む場合、少なくとも２つ以上の情報のすべてが対応する条件を満足すると、当該予設情報が予設条件を満足すると設定することができる。又は、少なくとも２つ以上の情報中、条件を満足する数が所定数に達した場合、当該予設情報が予設条件を満足する判定するように設定することができる。本実施形態はこれに対して限定しない。
【０１７３】
第３、予設情報が予設条件を満たすと、モバイル端末は、ホームゲートウェイ装置を介して家電機器や家電機器と同一のＬＡＮに位置する家電機器をオフにする。
【０１７４】
モバイル端末の検出結果が予設情報が予設条件を満足すると表示する場合、ユーザーが外出している可能性があることを説明する。この時、電気を安全に使用し、エネルギーを節約するために、モバイル端末は、ホームゲートウェイ装置を介してそれと接続されたそれぞれの家電機器をオフにする。
【０１７５】
実際に実現する場合、モバイル端末は、ホームゲートウェイ装置を介して、それぞれの家電機器をオフにする前に、モバイル端末は、第３問い合わせ情報を表示することができる。第３問い合わせ情報は、それぞれの家電機器をオフにするかを問い合わせするための情報である。モバイル端末が確認情報を受信すると、それぞれの家電機器をオフにするが、逆に、モバイル端末が確認情報を受信しなかった場合、それぞれの家電機器をオフにしない。これにより、それぞれの家電機器の運転は、ユーザーの使用習慣にさらに合致し、ユーザーの使用体験を向上することができる。
【０１７６】
以下、本発明が提供した装置の実施形態であり、本発明が提供した方法の実施形態を実行するに用いられる。本発明に係る装置の実施形態に記載されていない詳細は、本発明に係る方法の実施形態を参照することができる。
【０１７７】
図６は、一実施形態に係るタスク設定装置を示すブロック図である。図６に示すように、当該タスク設定装置は、操作記録取得モジュール６１０、タスク検出モジュール６２０、タスクアイテム設定モジュール６３０を含むが、これに限定しない。
【０１７８】
操作記録取得モジュール６１０は、ユーザーが家電機器を操作した操作履歴を取得するように設定されている。
【０１７９】
タスク検出モジュール６２０は、操作記録取得モジュール６１０が取得した操作履歴に基づいて、規則的タスクが存在するかを検出するように配置される。
【０１８０】
タスクアイテム設定モジュール６３０は、タスク検出モジュール６２０の検出結果が規則的タスクが存在することを示している場合は、固定時刻に、対応する規則的タスクアイテムを設定するように配置されている。ここで、規則的タスクアイテムは、再び固定時刻に到達したとき家電機器が規則的タスクを実行するタスクアイテムである。
【０１８１】
つまり、本発明の実施形態に係るタスク設定装置は、ユーザが家電機器を操作した操作履歴を取得し、操作履歴に基づいて規則的タスクであって、固定時刻に同一の操作を受信した回数が所定回数に達する操作に対応する規則的タスクが存在するかを検出する。規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する中で家電機器が適時にユーザーにサービスを提供不可能な問題を解決し、固定時刻に到達したとき、家電機器が規則的タスクを実行することができ、家電機器がユーザーに必要なサービスをいつでも提供することができる効果をもたらすことができる。
【０１８２】
図７は、一実施形態に係るタスク設定装置を示すブロック図である。図７に示すように、当該タスク設定装置は、操作記録取得モジュール７１０、タスク検出モジュール７２０、及びタスクアイテム設定モジュール７３０を含むが、これに限定しない。
【０１８３】
操作記録取得モジュール７１０は、ユーザーが家電機器を操作した操作履歴を取得するように配置される。
【０１８４】
タスク検出モジュール７２０は、操作記録取得モジュール７１０が取得した操作履歴に基づいて、固定時刻に同一の操作を受信した回数が所定回数に達する操作に対応するタスクが存在するかを検出するように配置される。
【０１８５】
タスクアイテム設定モジュール７３０は、タスク検出モジュール７２０の検出結果が規則的タスクが存在することを表示する場合、固定時刻に、対応する規則的タスクアイテムを設定するように配置されている。ここで、規則的タスクアイテムは、再び固定時刻に到達したとき家電機器が規則的タスクを実行するタスクアイテムである。
【０１８６】
好ましくは、当該タスクアイテム設定モジュール７３０は、
モバイル端末に第１の問い合わせ情報であって、固定時刻に、対応する規則的タスクアイテムを設定するかを問い合わせするための第１の問い合わせ情報を送信するように配置された第１の問い合わせ情報送信サブモジュール７３１と、
モバイル端末が送信した第１のフィードバック情報を受信するように配置された第１のフィードバック情報受信サブモジュール７３２と、
第１のフィードバック情報受信サブモジュール７３２が受信した第１のフィードバック情報が確認を表示する場合、固定時刻に規則的タスクアイテムを設定するように配置されたタスクアイテム設定サブモジュール７３３を含む。
【０１８７】
好ましくは、上記装置は、
再び固定時刻に到達したとき、規則的タスクアイテムに基づいて規則的タスクを実行するように配置されているタスク実行モジュール７４０をさらに含む。
【０１８８】
好ましくは、上記タスク実行モジュール７４０は、
再び固定時刻に到達したとき家電機器が既に規則的タスクを実行するかを検出するように配置されたタスク検出サブモジュール７４１と、
タスク検出サブモジュール７４１の検出結果が家電機器が規則的タスクを実行していないことを表示するとき、規則的タスクを実行するように配置された第１のタスク実行サブモジュール７４２を含む。
【０１８９】
好ましくは、上記タスク実行モジュール７４０は、
再び固定時刻に到達したとき、モバイル端末に第２の問い合わせ情報であって、家電機器が規則的タスクを実行することを許可するかを問い合わせする第２の問い合わせ情報を送信するように配置された第２の問い合わせ情報送信サブモジュール７４３と、
モバイル端末が送信した第２のフィードバック情報を受信するように配置された第２のフィードバック情報受信サブモジュール７４４と、
第２のフィードバック情報受信サブモジュール７４４が受信した第２のフィードバック情報が実行を許可することを表示する場合き、規則的タスクを実行するように配置された第２のタスク実行サブモジュール７４５とを含む。
【０１９０】
好ましくは、上記タスク実行モジュール７４０は、規則的タスクがモバイル端末、ホームゲートウェイ装置又はサーバに保存され、また、再び固定時刻に到達したとき、モバイル端末、ホームゲートウェイ又はサーバーが家電機器に、家電機器を制御して規則的タスクを実行するための制御コマンドを送信するように配置されている。
【０１９１】
好ましくは、上記装置は、
予設情報であって、家電機器所在環境の空気品質情報、家電機器所在環境の第１の所定時間帯内の光の強さ、家電機器所在環境の第２の所定時間帯内の音の強さ、家電機器及び/又は家電機器と同一のＬＡＮに位置する他の家電機器が最近１回使用された使用時刻のうちの少なくとも一つを含む予設情報を取得するように配置された情報取得モジュール７５０と、
予設情報が予設条件であって、空気品質情報が空気品質が予設空気品質よりも悪いと示すこと、光の強さが予設光の強さよりも小さいこと、音の強さが予設強さよりも小さいこと、及び、最近１回使用された使用時刻が所定時間長さ前の時刻のうちの少なくとも一つを含む予設条件を満足するかを検出するように配置された条件検出モジュール７６０と、
条件検出モジュール７６０の検出結果が予設情報が予設条件を満足すると表示する場合、ホームゲートウェイ装置を介して家電機器や家電機器と同一のＬＡＮに位置する家電機器をオフにするように配置された装置オフモジュール７７０とを含む。
【０１９２】
つまり、本発明の実施形態に係るタスク設定装置は、ユーザが家電機器を操作した操作履歴を取得し、操作履歴に基づいて規則的タスクであって、固定時刻に同一の操作を受信した回数が所定回数に到達した操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器が適時にユーザーにサービスを提供不可能な問題を解決し、固定時刻に到達したとき、家電機器が規則的タスクを実行することができ、家電機器がいつでもユーザーに需要なサービスを提供する効果に達することができる。
【０１９３】
本発明の実施形態は、第１の問い合わせ情報をモバイル端末に送信して、受信したフィードバック情報が確認を表示すると、つまり、ユーザーが固定時刻に規則的タスクアイテムを設定することに同意する場合、家電機器は、固定時刻に規則的タスクアイテムを設定することができる。したがって、家電機器の運転はユーザーの期待にさらに合致し、ユーザーの体験をさらに向上することができる。
【０１９４】
同時に、規則的タスクアイテムを設定した後、再び固定時刻に到達したとき、家電機器は規則的タスクを実行することができ、関連技術では、ユーザーが家電機器を操作することを忘れて家電機器が何のタスクも実行しない問題を解決することができる。
【０１９５】
上記実施形態における装置は、その中のそれぞれのモジュールが操作を実行する具体的な方法は、既に上記の方法実施形態で詳細に記述したので、ここで詳細な説明を省略する。
【０１９６】
図８は、一実施形態に係るタスクを設定する装置８００を示すブロック図である。例えば、装置８００は、モバイル端末、コンピュータ、デジタル放送端末、メッセージ送受装置、ゲームコンソール、タブレット装置、医療機器、ヘルス機器、ＰＤＡなどであってもよい。
【０１９７】
図８を参照すると、装置８００は、処理モジュール８０２、メモリ８０４、電源モジュール８０６、マルチメディアモジュール８０８、オーディオモジュール８１０、入力/出力（Ｉ/Ｏ）インターフェース ８１２、センサモジュール８１４、及び通信モジュール８１６のうちの１つ以上を含むことができる。
【０１９８】
処理モジュール８０２は、通常、装置８００の全体の操作、例えば、ディスプレイ、モバイル端末の呼び出し、データ通信、カメラ操作や記録操作に関する操作を制御する。処理モジュール８０２は、前記方法の全部又は一部のステップを完了するように１つ以上のプロセッサ８１８を含んでコマンドを実行する。また、処理モジュール８０２は、他のモジュールとの相互作用を便利にするように、１つ以上のモジュールを含むことができる。例えば、処理モジュール８０２は、マルチメディアモジュール８０８と処理モジュール８０２との間の相互作用を便利にするように、マルチメディアモジュールを含んでもよい。
【０１９９】
メモリ８０４は、様々なタイプのデータを保存して、装置８００での操作をサポートするように配置される。このようなデータは、例えば、装置８００で操作される任意のアプリケーションプログラム、又は方法のコマンド、連絡先のデータ、電話帳データ、メッセージ、画像、動画などを含む。また、メモリ８０４は、いずれタイプの揮発性又は非揮発性記憶装置、又はこれらの組み合わせで実現することができる。例えばＳＲＡＭ、ＥＥＰＲＯＭ、ＥＰＲＯＭ、ＰＲＯＭ、ＲＯＭ、磁気メモリ、フレッシュメモリ、ディスク、又はＣＤであってもよい。
【０２００】
電源モジュール８０６は、装置８００の様々なモジュールに電力を提供する。電源モジュール８０６は、電源管理システム、１つ以上の電源や他の装置８００のための電力の生成、管理、及び分配に係るモジュールを含むことができる。
【０２０１】
マルチメディアモジュール８０８は、前記装置８００とユーザーの間に出力インタフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサーを含んで、タッチや、スライドや、パネル上の手の動きを感知する。上記タッチセンサは、タッチやスライド動作の境界を検出することができるだけでなく、上記タッチやスライド操作に関連する持続時間や圧力を検出することができる。一部の実施形態では、マルチメディアモジュール８０８は、１つのフロントカメラ、及び/又はバックカメラを含むことができる。装置８００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【０２０２】
オーディオモジュール８１０は、オーディオ信号を出力及び/又は入力するように配置されている。例えば、オーディオモジュール８１０は、１つのマイク（ＭＩＣ）を含んでもよい。装置８００が操作モードに設定される場合は、例えば、呼び出しモード、記録モード、音声識別モードの場合は、マイクは、外部オーディオ信号を受信するように配置される。受信されたオーディオ信号は、メモリ８０４に格納されるか、通信モジュール８１６を経て送信することができる。一部の実施例では、オーディオモジュール８１０は、１つのスピーカーを含み、オーディオ信号を出力する。
【０２０３】
Ｉ/Ｏインターフェース８１２は、処理モジュール８０２と周辺インターフェースモジュールの間にインターフェースを提供する。上記周辺インターフェースモジュールは、キーボード、クリックホイール、ボタンなどであってもよい。これらのボタンは、ホームページボタン、ボリュームボタン、操作ボタン、ロックボタンを含むが、これに限定しない。
【０２０４】
センサモジュール８１４は、１つ以上のセンサを含み、装置８００の各方面の状態の評価を提供することができる。例えば、センサモジュール８１４は、装置８００のオン/オフ状態、モジュールの相対的な位置を検出することができる。例えば、上記モジュールは、装置８００のモニターや小さなキーボードであってもよい。センサモジュール８１４は、装置８００又は装置８００の１つモジュールの位置の変化、ユーザーと装置８００が接触したか、装置８００方位又は加速/減速、装置８００の温度変化を検出することができる。センサモジュール８１４は、接近センサーを含んで、何の物理的な接触がない状況でも近くの物体の存在を検出するように配置される。センサモジュール８１４は、例えばＣＭＯＳ又はＣＣＤイメージセンサーなどの光センサーが含まれて、画像形成に使用される。このような実施形態では、センサモジュール８１４は、加速度センサー、ジャイロスコープセンサー、磁気センサー、圧力センサー、又は温度センサをさらに含んでもよい。
【０２０５】
通信モジュール８１６は、装置８００と他の装置間で有線又は無線方式で便利に通信するように配置される。装置８００は、通信規格に基づいた、例えばＷｉＦｉ、２Ｇ又は４Ｇ又はこれらの組み合わせなどの無線インターネットにアクセスすることができる。一実施形態では、通信モジュール８１６は、放送チャンネルを経て外部の放送管理システムからの放送信号又は放送に関連する情報を受信する。一実施形態では、前記通信モジュール８１６は、ＮＦＣ通信モジュールが含まれて、短距離通信を促進することができる。例えば、ＮＦＣモジュールはＲＦＩＤ技術、ＩｒＤＡ技術、ＵＷＢ技術、ＢＴ技術やその他の技術に基づいて実現することができる。
【０２０６】
一実施形態では、装置８００は、１つ以上のＡＳＩＣ、ＤＳＰ、ＤＳＰＤ、ＰＬＤ、ＦＰＧＡ、コントローラ、マイクロコントローラ、マイクロプロセッサ、又はその他の電子素子で実現され、上記方法を実行する。
【０２０７】
一実施形態では、コマンドを含む非一時性コンピュータ読取可能なストレージミディアム、例えば、コマンドを含むメモリ８０４を提供する。上記コマンドは、装置８００のプロセッサ８１８によって実行され、前記方法を完成する。例えば、上記非一時性コンピュータ読取可能な記憶ミディアムは、ＲＯＭ、ＲＡＭ、ＣＤ−ＲＯＭ、テープ、フロッピーディスク、及び光データ記憶装置などであってもよい。
【０２０８】
なお、本発明は、上記で既に述べて図面で表示された構造に限定されず、上記範囲を逸脱しない範囲内で各種の修正及び変更を行うことができる。本発明の範囲は、単に添付された特許請求の範囲に限定される。
【図１】
2017505084.tif 000003
【図２】
2017505084.tif 000004
【図３Ａ】
2017505084.tif 000005
【図３Ｂ】
2017505084.tif 000006
【図３Ｃ】
2017505084.tif 000007
【図３Ｄ】
2017505084.tif 000008
【図３Ｅ】
2017505084.tif 000009
【図４】
2017505084.tif 000010
【図５】
2017505084.tif 000011
【図６】
2017505084.tif 000012
【図７】
2017505084.tif 000013
【図８】
2017505084.tif 000014
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
ユーザーが家電機器を操作した操作履歴を取得するステップと、
前記操作履歴に基づいて、固定時刻に同一の操作を受信した回数が所定回数に達する操作に対応するタスクである規則的タスクが存在するかを検出するステップと、
前記規則的タスクが存在する場合、前記固定時刻に、対応する規則的タスクアイテムを設定するステップとを含み、
前記規則的タスクアイテムは、再び前記固定時刻に到達したとき、前記家電機器が前記規則的タスクを実行するタスクアイテムであることを特徴とするタスク設定方法。
【請求項２】
前記固定時刻に、対応する規則的タスクアイテムを設定するステップは、
前記固定時刻に、対応する規則的タスクアイテムを設定するかを問い合わせするための第１の問い合わせ情報をモバイル端末に送信するステップと、
前記モバイル端末が送信した第１のフィードバック情報を受信するステップと、
前記第１のフィードバック情報が確認を表示する場合、前記固定時刻に前記規則的タスクアイテムを設定するステップとを含むことを特徴とする請求項１に記載のタスク設定方法。
【請求項３】
再び前記固定時刻に到達したとき、前記規則的タスクアイテムに基づいて前記規則的タスクを実行するステップをさらに含むことを特徴とする請求項１又は２に記載のタスク設定方法。
【請求項４】
前記再び前記固定時刻に到達したとき、前記規則的タスクアイテムに基づいて前記規則的タスクを実行するステップは、
再び前記固定時刻に到達したとき、前記家電機器が前記規則的タスクを既に実行したかを検出するステップと、
前記家電機器が前記規則的タスクをまだ実行しなかった場合、前記規則的タスクを実行するステップとを含むことを特徴とする請求項３に記載のタスク設定方法。
【請求項５】
前記再び前記固定時刻に到達したとき、前記規則的タスクアイテムに基づいて前記規則的タスクを実行するステップは、
再び前記固定時刻に到達したとき、前記家電機器が前記規則的タスクを実行することを許すかを問い合わせするための第２の問い合わせ情報をモバイル端末に送信するステップと、
前記モバイル端末が送信した第２のフィードバック情報を受信するステップと、
前記第２のフィードバック情報が実行を許可することを表示する場合、前記規則的タスクを実行するステップとを含むことを特徴とする請求項３に記載のタスク設定方法。
【請求項６】
前記再び前記固定時刻に到達したとき、前記規則的タスクアイテムに基づいて前記規則的タスクを実行するステップは、
前記規則的タスクがモバイル端末、ホームゲートウェイ装置又はサーバに保存され、また、再び前記固定時刻に到達したとき、前記モバイル端末、ホームゲートウェイ装置又はサーバが前記家電機器に、前記家電機器を制御して前記規則的タスクを実行するための制御コマンドを送信するステップとを含むことを特徴とするタスク設定方法。
【請求項７】
前記家電機器所在環境の空気品質情報、前記家電機器所在環境の第１の所定時間帯内の光の強さ、前記家電機器所在環境の第２の所定時間帯内の音の強さ、前記家電機器及び/又は前記家電機器と同一のＬＡＮに位置する他の家電機器が最近１回使用された使用時刻のうちの少なくとも一つを含む予設情報を取得するステップと、
前記予設情報が、前記空気品質情報が空気品質が予設空気品質よりも悪いと表示すること、前記光の強さが予設光の強さよりも小さいこと、前記音の強さが予設強さよりも小さいこと、及び最近１回使用された前記使用時刻が所定時間長さ前の時刻であることのうちの少なくとも一つを含む予設条件を満たすかを検出するステップと、
前記予設情報が前記予設条件を満たす場合、ホームゲートウェイ装置を介して前記家電機器及び前記家電機器と同一のＬＡＮに位置する他の家電機器をオフにするステップとを含むことを特徴とする請求項１ないし６のいずれか１項に記載のタスク設定方法。
【請求項８】
ユーザーが家電機器を操作する操作履歴を取得するように配置された操作記録取得モジュールと、
前記操作記録取得モデルが取得した前記操作履歴に基づいて、固定時刻に同一の操作を受信した回数が所定回数に達する前記操作に対応するタスクである規則的タスクが存在するかを検出するタスク検出モジュールと、
前記タスク検出モジュールの検出結果が前記規則的タスクが存在することを表示する場合、前記固定時刻に、対応する規則的タスクアイテムを設定するように配置されたタスクアイテム設定モジュールとを含み、
前記規則的タスクアイテムは、再び前記固定時刻に到達したとき、前記家電機器が前記規則的タスクを実行するタスクアイテムである
ことを特徴とするタスク設定装置。
【請求項９】
前記タスクアイテム設定モジュールは、
前記固定時刻に、対応する規則的タスクアイテムを設定するかを問い合わせするための第１の問い合わせ情報をモバイル端末に送信するように配置された第１の問い合わせ情報送信サブモジュールと、
前記モバイル端末が送信した第１のフィードバック情報を受信するように配置された第１のフィードバック情報受信サブモジュールと、
前記第１のフィードバック情報サブモジュールが受信した前記第１のフィードバック情報が確認を表示する場合、前記固定時刻に前記規則的タスクアイテムを設定するように配置されたタスクアイテム設定サブモジュールとを含むことを特徴とする請求項８に記載のタスク設定装置。
【請求項１０】
再び前記固定時刻に到達したとき、前記規則的タスクアイテムに基づいて前記規則的タスクを実行するように配置されたタスク実行モジュールをさらに含むことを特徴とする請求項８又は９に記載のタスク設定装置。
【請求項１１】
前記タスク実行モジュールは、
前記固定時刻に到達したとき、前記家電機器が前記規則的タスクを既に実行したかを検出するように配置されたタスク検出サブモジュールと、
前記タスク検出サブモジュールの検出結果が前記家電機器が前記規則的タスクをまだ実行しなかったことを表示する場合、前記規則的タスクを実行するように配置された第１のタスク実行サブモジュールとを含むことを特徴とする請求項１０に記載のタスク設定装置。
【請求項１２】
前記タスク実行モジュールは、
再び前記固定時刻に到達したとき、前記家電機器が前記規則的タスクを実行することを許すかを問い合わせするための第２の問い合わせ情報をモバイル端末に送信するように配置された第２の問い合わせ情報送信サブモジュールと、
前記モバイル端末が送信した第２のフィードバック情報を受信するように配置された第２のフィードバック情報受信サブモジュールと、
前記第２のフィードバック情報受信サブモジュールが受信した前記第２のフィードバック情報が実行を許可することを表示する場合、前記規則的タスクを実行するように配置された第２のタスク実行サブモジュールとを含むことを特徴とする請求項１０に記載のタスク設定装置。
【請求項１３】
前記タスク実行モジュールは、前記規則的タスクがモバイル端末、ホームゲートウェイ装置又はサーバに保存され、また、再び前記固定時刻に到達したとき、前記モバイル端末、ホームゲートウェイ装置又はサーバが前記家電機器に、前記家電機器を制御して前記規則的タスクを実行するための制御コマンドを送信するように配置されることを特徴とする請求項１０に記載のタスク設定装置。
【請求項１４】
前記家電機器所在環境の空気品質情報、前記家電機器及び/又は前記家電機器と同一のＬＡＮに位置する他の家電機器が最近１回使用された使用時刻、及び前記家電機器所在環境の所定時間帯内の光の強さのうちの少なくとも一つを含む予設情報を取得するように配置された情報取得モジュールと、
前記予設情報が、前記空気品質情報が空気品質が予設空気品質よりも悪いと表示すること、前記光の強さが予設光の強さよりも小さいこと、前記音の強さが予設強さよりも小さいこと、及び最近１回使用された前記使用時刻が所定時間長さ前の時刻であることのうちの少なくとも一つを含む予設条件を満たすかを検出するように配置された条件検出モジュールと、
前記条件検出モジュールの検出結果が前記予設情報が前記予設条件を満たすと表示する場合、ホームゲートウェイ装置を介して前記家電機器及び前記家電機器と同一のＬＡＮに位置する他の家電機器をオフにするように配置された装置オフモジュールとを含むことを特徴とする請求項８ないし１３のいずれか１項に記載のタスク設定装置。
【請求項１５】
プロセッサと、
前記プロセッサが実行可能なコマンドを記憶するメモリとを含み、
前記プロセッサは、
ユーザーが家電機器を操作した操作履歴を取得し、
前記操作履歴に基づいて、固定時刻に同一の操作を受信した回数が所定回数に達する前記操作に対応するタスクである規則的タスクが存在するかを検出し、
前記規則的タスクが存在する場合、前記固定時刻に、対応する規則的タスクアイテムを設定するように配置され、
前記規則的タスクアイテムは、再び前記固定時刻に到達したとき、前記家電機器が前記規則的タスクを実行するタスクアイテムである
ことを特徴とするタスク設定装置。
【請求項１６】
プロセッサに実行されることにより、請求項１−７のいずれか１項に記載のタスク設定方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願発明は、出願番号が２０１４１０６７４０７０５であって、出願日が２０１４年１１月２１日である中国特許出願を基礎として優先権を主張し、その中国特許出願の内容のすべてを、本願発明に援用する。
【０００２】
本発明は、コンピュータ技術の分野に関し、より詳しくは、タスク設定方法、装置、プログラム及び記録媒体に関する。
【背景技術】
【０００３】
例えば、エアコンや、空気清浄器や、浄水器などの家電機器は、各家庭でよく見られる家電機器の一つである。
【０００４】
ユーザーは、家電機器を使用する過程で、家電機器を操作して対応するタスクを実行するようにする。例えば、ユーザーが寝る前に暖かい水を飲む習慣がある場合、ユーザーは、浄水器を作動させて水を沸騰させることがある。
【発明の概要】
【発明が解決しようとする課題】
【０００５】
本発明人は、本発明を実現する過程で、関連技術に、少なくとも下記のような欠陥が存在ことを見つけた。つまり、ユーザーがある原因で、家電機器を操作することを忘れると、家電機器は何のタスクも実行しないので、家電機器がユーザーのために適時にサービスを提供することができない問題が生じられてしまう。
【課題を解決するための手段】
【０００６】
本発明は、関連技術の家電機器が適時にユーザーにサービスを提供することが不可能である問題を解決するために、タスク設定方法、装置、プログラム及び記録媒体を提供する。技術方案は下記の通りである。
【０００７】
本発明の第１の態様に係るタスク設定方法は、
ユーザーが家電機器を操作した操作履歴を取得するステップと、
操作履歴に基づいて、規則的タスクであって、固定時刻に同一の操作を受信した回数が所定回数に達する操作に対応する規則的タスクが存在するかを検出するステップと、
規則的タスクが存在する場合、固定時刻に、対応する規則的タスクアイテムであって、再び固定時刻に到達したとき家電機器が規則的タスクを実行する規則的タスクアイテムを設定するステップとを含む。
【０００８】
好ましくは、固定時刻に、対応する規則的タスクアイテムを設定するステップは、
第１の問い合わせ情報であって、固定時刻に、対応する規則的タスクアイテムを設定するかを問い合わせするための第１の問い合わせ情報をモバイル端末に送信するステップと、
モバイル端末が送信した第１のフィードバック情報を受信するステップと、
第１のフィードバック情報が確認を表示する場合、固定時刻に規則的タスクアイテムを設定するステップとを含む。
【０００９】
好ましくは、再び固定時刻に到達したとき、規則的タスクアイテムに基づいて規則的タスクを実行するステップは、
再び固定時刻に到達したとき、家電機器が規則的タスクを既に実行したかかを検出するステップと、
家電機器が規則的タスクを実行しなかった場合、規則的タスクを実行するステップとを含む。
【００１０】
好ましくは、再び固定時刻に到達したとき、規則的タスクアイテムに基づいて規則的タスクを実行するステップは、
再び固定時刻に到達したとき、第２の問い合わせ情報であって、家電機器が規則的タスクを実行することを許可するかを問い合わせするための第２の問い合わせ情報をモバイル端末に送信するステップと、
モバイル端末が送信した第２のフィードバック情報を受信するステップと、
第２のフィードバック情報が実行を許可することを表示する場合、規則的タスクを実行するステップとを含む。
【００１１】
好ましくは、再び固定時刻に到達したとき、規則的タスクアイテムに基づいて規則的タスクを実行するステップは、
規則的タスクが、モバイル端末、ホームゲートウェイ装置又はサーバに保存され、また、再び固定時刻に到達したとき、モバイル端末、ホームゲートウェイ装置又はサーバーが家電機器に、家電機器を制御して規則的タスクを実行するための制御コマンドを送信するステップを含む。
【００１２】
好ましくは、前記方法は、
予設情報であって、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む予設情報を取得するステップと、
予設情報が予設条件であって、空気品質情報が空気品質が予設空気品質よりも悪いと表示すること、光の強さが予設光の強さよりも低いこと、音の強さが予設音の強さより低いこと、及び最近１回使用された使用時刻が所定時間長さ前の時刻であることのうちの少なくとも一つを含む予設条件を満たすかを検出するステップと、
予設情報が予設条件を満たした場合、ホームゲートウェイ装置を介して家電機器及び家電機器と同一のＬＡＮに位置する他の家電機器をオフにするステップとを含む。
【００１３】
また、本発明の第２の態様に係るタスク設定装置は、
ユーザーが家電機器を操作した操作履歴を取得するように配置された操作履歴取得モジュールと、
操作記録取得モジュールが取得した操作履歴に基づいて規則的タスクであって、固定時刻に同一の操作を受信した回数が所定回数に達する操作に対応する規則的タスクが存在するかを検出するように配置されたタスク検出モジュールと、
タスク検出モジュールの検出結果が規則的タスクが存在することを表示する場合、固定時刻に、対応する規則的タスクアイテムであって、再び固定時刻に到達したとき家電機器が規則的タスクを実行する規則的タスクアイテムを設定するように配置されたタスクアイテム設定モジュールとを含む。
【００１４】
好ましくは、当該タスクアイテム設定モジュールは、
第１の問い合わせ情報であって、固定時刻に、対応する規則的タスクアイテムを設定するかを問い合わせするための第１の問い合わせ情報をモバイル端末に送信するように配置された第１の問い合わせ情報送信サブモジュールと、
モバイル端末が送信した第１のフィードバック情報を受信するように配置された第１のフィードバック情報受信サブモジュールと、
第１のフィードバック情報受信サブモジュールが受信した第１のフィードバック情報が確認を表示する場合、固定時刻に規則的タスクアイテムを設定するように配置されたタスクアイテム設定サブモジュールとを含む。
【００１５】
好ましくは、当該装置は、
再び固定時刻に到達したとき、規則的タスクアイテムに基づいて規則的タスクを実行するように配置されたタスク実行モジュールをさらに含む。
【００１６】
好ましくは、当該タスク実行モジュールは、
再び固定時刻に到達したとき、家電機器が規則的タスクを既に実行したかを検出するように配置されたタスク検出サブモジュールと、
タスク検出サブモジュールの検出結果が家電機器が規則的タスクを実行しなかったことを表示する場合、規則的タスクを実行するように配置された第１のタスク実行サブモジュールとを含む。
【００１７】
好ましくは、当該タスク実行モジュールは、
再び固定時刻に到達したとき、第２の問い合わせ情報であって、家電機器が規則的タスクを実行することを許可するかを問い合わせするための第２の問い合わせ情報をモバイル端末に送信するように配置された第２の問い合わせ情報送信サブモジュールと、
モバイル端末が送信した第２のフィードバック情報を受信するように配置された第２のフィードバック情報受信サブモジュールと、
第２フィードバック情報受信サブモジュールが受信した第２のフィードバック情報が実行を許可することを表示する場合、規則的タスクを実行する第２のタスク実行サブモジュールとを含む。
【００１８】
好ましくは、当該タスク実行モジュールは、規則的タスクがモバイル端末、ホームゲートウェイ装置又はサーバに保存され、再び固定時刻に到達したとき、モバイル端末、ホームゲートウェイ装置又はサーバーが家電機器に、家電機器を制御して規則的タスクを実行するための制御コマンドを送信するように配置される。
【００１９】
好ましくは、当該装置は、
予設情報であって、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む予設情報を取得するように配置された情報取得モジュールと、
予設情報が予設条件であって、空気品質情報が空気品質が予設空気品質より悪いと表示すること、光の強さが予設光の強度よりも低いこと、音の強さが予設強さより低いこと、及び最近１回使用された使用時刻が所定時間長さ前の時刻であることのうちの少なくとも一つを含む予設条件を満たすかを検出するように配置された条件検出ユニットと、
条件検出モジュールの検出結果が予設情報が予設条件を満足することを表示する場合、ホームゲートウェイ装置を介して家電機器及び家電機器と同一のＬＡＮに位置する他の家電機器をオフにするように配置された装置オフモジュールとを含む。
【００２０】
本発明の第３の態様に係るタスク設定装置は、
プロセッサと、
プロセッサが実行可能なコマンドを記憶するメモリーとを含み、
ここで、プロセッサは、ユーザーが家電機器を操作した操作履歴を取得し、操作履歴に基づいて規則的タスクであって、固定時刻に同一の操作を受信した回数が所定回数に到達した操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定するように配置される。
【００２１】
本発明の第４の態様に係るプログラムは、プロセッサに実行されることにより、上記のタスク設定方法を実現する。
【００２２】
本発明の第５の態様に係る記録媒体は、上記プログラムが記録される。
【発明の効果】
【００２３】
本発明の実施形態が提供した技術方案によれば、下記のような有益な効果を獲得できる。
【００２４】
ユーザーが家電機器を操作した操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、固定時刻に到達したとき家電機器が規則的タスクを実行する規則的タスクアイテムを設定することにより、関連技術に存在する、家電機器がユーザーに適時にサービスを提供不可能な問題を解決し、固定時刻に到達したとき家電装置が規則的タスクを実行することができ、家電機器がいつでもユーザーにユーザーが需要するサービスを提供する効果に達することができる。
【００２５】
なお、上記一般的記述及び後述の詳細な記載は、例示的なものに過ぎず、本発明を限定しない。
【００２６】
ここでの図面は本明細書に組み込まれるとともに本明細書の一部を構成し、本発明に合致する実施形態を示し、本明細書と一緒に本発明の原理を説明する。
【図面の簡単な説明】
【００２７】
【図１】一部の実施形態に係るタスク設定方法に関連する実施環境を示す説明図である。
【図２】一実施形態に係るタスク設定方法を示すフローチャートである。
【図３Ａ】他の一実施形態に係るタスク設定方法を示すフローチャートである。
【図３Ｂ】一実施形態に係る携帯端末が第１の問い合わせ情報を表示する説明図である。
【図３Ｃ】一実施形態に係る携帯端末が第２の問い合わせ情報を表示する説明図である。
【図３Ｄ】一実施形態に係る携帯端末がトリガ信号を家電機器に送信する場合の表示説明図である。
【図３Ｅ】一実施形態に係る携帯端末が第１のフィードバック情報をモバイル家電機器にフィードバックする前の表示説明図である。
【図４】他の一実施形態に係るタスク設定方法を示すフローチャートである。
【図５】他の一実施形態に係るタスク設定方法を示すフローチャートである。
【図６】一実施形態に係るタスク設定装置を示すブロック図である。
【図７】他の一実施形態に係るタスク設定装置を示すブロック図である。
【図８】一実施形態に係るタスクを設定する装置を示すブロック図である。
【発明を実施するための形態】
【００２８】
ここで、一実施形態について詳細に説明し、その例示は図面に表示する。下記の記載が図面に係る場合、別の説明がないと、別の図面の同一の数字は互いに同じ又は似ている要素を表示する。下記の一実施形態に記載した実施例は、本発明と一致したすべての実施形態を代表するものではなく、添付された特許請求の範囲に記載された本発明のいくつかの方面と一致した装置及び方法の例示に過ぎない。
【００２９】
図１は、本発明の各実施形態に係る実施環境の構成を示す説明図である。図１に示すように、当該実施環境は、家電機器１１０、ホームゲートウェイ装置１２０、モバイル端末１３０及びサーバ１４０を備えて構成される。
【００３０】
家電機器１１０は、有線又は無線インターネットを介してホームゲートウェイ装置１２０にアクセスされ、また、ホームゲートウェイ装置１２０を介してモバイル端末１３０とサーバ１４０との間の接続を実現する。実際に実現する場合、当該家電機器１１０は空気清浄器、空気品質の検出器、浄水器、又は空調機であってもよい。ホームゲートウェイ装置１２０はルータであってもよい。
【００３１】
モバイル端末１３０は、クライアントが設定される。当該クライアントは、サービス提供方から提供されたクライアントであり、ユーザーは、当該クライアントを介して家電機器１１０を制御することができる。実際に実現する場合、モバイル端末１３０及び家電機器１１０が同一のＬＡＮに位置すると、モバイル端末１３０は、ホームゲートウェイ装置１２０を介して家電機器１１０を検索することができ、さらに家電機器１１０と結合関係を確立することができ、家電機器１１０は、１つ以上のモバイル端末１３０と結合関係を確立することができる。
【００３２】
サーバー１４０は、サービス提供方から提供されたバックグラウンドサーバであり、モバイル端末１３０におけるクライアントと結合して、ユーザーにサービスの提供方から提供されたサービスを提供する。
【００３３】
図２は、一実施形態に係るタスク設定方法を示すフローチャートである。本実施形態は、当該タスク設定方法が図１に示された実施環境に適用されることを例として説明する。図２に示すように、当該タスク設定方法は、下記のようなステップを含む。
【００３４】
ステップ２０１：ユーザーが家電機器を操作した操作履歴を取得する。
【００３５】
ステップ２０２：操作履歴に基づいて、規則的タスクが存在するかを検出する。規則的タスクは、固定時刻に同一の操作を受信した回数が所定回数に達する操作に対応するタスクである。
【００３６】
ステップ２０３：規則的タスクが存在する場合、固定時刻に、対応する規則的タスクアイテムを設定する。規則的タスクアイテムは、再び固定時刻に到達したとき家電機器が規則的タスクを実行するタスクアイテムである。
【００３７】
上記によれば、本発明の実施形態に係るタスク設定方法は、ユーザーが家電機器を操作した操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテム設定することにより、関連技術に存在する家電機器が適時にユーザーにサービスを提供不可能な問題を解決することができ、固定時刻に到達したとき、家電機器が規則的タスクを実行することができ、ひいては家電機器がいつでもユーザーに必要なサービスを提供する効果に達することができる。
【００３８】
上記実施形態に開示されたタスク設定方法は、図１に図示された家電機器１１０に適用されることができ、ホームゲートウェイ装置１２０又はモバイル端末１３０又はサーバー１４０に適用することができる。そして、ホームゲートウェイ装置１２０とサーバ１４０の実現方式が似ているため、以下、３つの実施形態に分けて、当該タスク設定方法が家電機器１１０、ホームゲートウェイ装置１２０及びモバイル端末１３０に適用されることについて紹介する。
【００３９】
図３Ａは、一実施形態に係るタスク設定方法を示すフローチャートである。本実施形態は、当該タスク設定方法を図１に示した家電機器１１０に適用することを例に挙げて説明する。図３Ａに示すように、そのタスク設定方法は、下記のようなステップを含む。
【００４０】
ステップ３０１：家電機器は、ユーザーが家電機器を操作した操作履歴を取得する。
【００４１】
ユーザーが家電機器を操作するとき、家電機器は、ユーザーの操作履歴を記録するとともに保存することができる。ここで、操作記録は、操作時間や、操作種類を含むことができる。
【００４２】
例えば、家電機器が空気清浄器である場合を例にすると、ユーザーが１７:００時に空気清浄器を操作して、省電力モードに設定するとき、空気清浄器が記録した操作履歴は、操作時間：１７:００時、及び、操作タイプ：省電力モードの設定を含む。
【００４３】
後で、家電機器がそれぞれの操作記録を使用しようとする場合、ローカルに保存された操作履歴を直接読み取ることができる。
【００４４】
ステップ３０２：家電機器は操作履歴に基づいて、規則的タスクが存在するかを検出する。規則的タスクは、固定時刻に同一の操作を受信した回数が所定回数に達する操作に対応するタスクである。
【００４５】
実際に実現する場合、家電機器が操作履歴に基づいて、規則的タスクが存在するかを検出する検出方法は、下記のような二つを含むことができる。
【００４６】
一つは、家電機器が取得した操作履歴を分析し、分析した結果に基づいて、規則的タスクが存在するかを検出する。
【００４７】
家電機器は、取得した操作履歴を直接分析することができ、分析した結果に、固定時刻に同一の操作を受信した回数が所定回数に達する操作が存在するかを検出し、検出結果がその操作が存在すると表示する場合、その操作に対応するタスクを規則的タスクに確定する。
【００４８】
家電機器は、単位時間帯内の操作履歴を分析することができ、単位時間帯内の固定時刻に同一の操作を受信した回数を統計し、統計回数が所定回数に達しているかを検出する。検出結果が所定回数に達したと表示する場合、家電機器は、その操作に対応するタスクを規則的タスクに確定する。ここで、単位時間帯は１日、１週間、１ヶ月又は２ヶ月などであってもよい。
【００４９】
例えば、所定の回数が４回、単位時間帯が１週間であるとすると、家電機器は、それぞれの操作履歴を分析した後、ユーザーが過去１週間の５日間、毎日の１７:００時に空気清浄器を省電力モードに設定したことを発見することができ、家電機器が１７:００時に受信した空気清浄器の省電力・浄化モードの設定回数が所定回数である４回に達したと検出される場合、家電機器は１７:００時に空気清浄器の省電力・浄化モードの設定を規則的タスクに確定する。
【００５０】
同様に、操作記録に、毎日２０:００時に空気清浄器をオフにする操作記録が存在する場合、家電機器は、毎日２０:００時に空気清浄器をオフにするタスクを規則的タスクに確定することができる。
【００５１】
他の一つは、家電機器は、操作履歴をサーバーに送信し、サーバーは操作履歴記録を分析して、家電機器に分析結果をフィードバックする。家電機器は、受信した分析結果に基づいて、規則的タスクが存在するかを検出する。
【００５２】
もう一つ可能な実現方式は、家電機器が操作履歴をサーバーに送信してもよい。サーバーは、操作履歴を受信し、その操作履歴を分析し、分析結果を家電機器にフィードバックする。対応的に、家電機器は、サーバーがフィードバックした分析結果を受信し、分析結果に基づいて、規則的タスクが存在するかを検出する。この方法は、上記の実現方法と似ているため、本実施形態はここで冗長に説明しない。
【００５３】
ステップ３０３：規則的タスクが存在する場合、家電機器は第１の問い合わせ情報をモバイル端末に送信する。第１の問い合わせ情報は、固定時刻に、対応する規則的タスクアイテムを設定するかを問い合わせるための情報である。
【００５４】
家電機器の検出結果が規則的タスクが存在すると表示する場合、家電機器は、第１の問い合わせ情報をモバイル端末に送信することができる。ここで、第１の問い合わせ情報は、固定時刻に、対応する規則的タスクアイテムを設定するかを問い合わせするための情報である。
【００５５】
対応的に、モバイル端末は、第１の問い合わせ情報を受信し、受信した第１の問い合わせ情報を表示することができる。
【００５６】
ユーザーは、モバイル端末が表示した第１の問い合わせ情報を確認した後、ユーザーは応答することができ、モバイル端末を操作して、第１のフィードバック情報を家電機器に送信することができる。例えば、ユーザーが固定時刻に規則的タスクアイテムを設定することに同意すると、ユーザーはモバイル端末操作して確認を表示するフィードバック情報を家電機器にフィードバックし、ユーザーが固定時刻に規則的タスクアイテムを設定することに同意しない場合は、ユーザーは、モバイル端末操作して拒絶を表示するフィードバック情報を家電機器にフィードバックする。
【００５７】
例えば、図３Ｂを参照すると、モバイル端末は「あなたは何度も１７:００時に省電力・浄化モードに設定しました。自動設定にしますか？」という第１の問い合わせ情報を表示することができる。ユーザーが同意すると、ユーザーは、「確認」をクリックし、ユーザーが同意しない場合、ユーザーは、「後で」をクリックする。本実施形態は、これに対して限定しない。
【００５８】
ステップ３０４：家電機器は、携帯端末が送信した第１のフィードバック情報を受信する。
【００５９】
家電機器は、対応的にモバイル端末が送信した第１のフィードバック情報を受信することができる。
【００６０】
ステップ３０５：第１フィードバック情報が確認を表示する場合、家電機器は、固定時刻に規則的タスクアイテムを設定する。
【００６１】
家電機器が受信した第１のフィードバック情報が確認を表示すると、家電機器は、固定時刻に規則的タスクアイテムを設定する。ここで、規則的タスクアイテムは、再び固定時刻に到達したとき、規則的タスクを実行するタスクアイテムである。
【００６２】
家電機器が受信した第１のフィードバック情報が拒絶を表示すると、家電機器は、フローを終了する。
【００６３】
ステップ３０６：再び固定時刻に到達したとき家電機器は規則的タスクアイテムに基づいて規則的タスクを実行する。
【００６４】
家電機器が固定時刻に規則的タスクアイテムを設定した後、再び固定時刻に到達したとき、家電機器は事前に設定された規則的タスクアイテムに基づいて規則的タスクを実行する。
【００６５】
実際に実現する場合、家電機器が規則的タスクアイテムに基づいて規則的タスクを実行する実現方式は下記のような二つを含むことができる。
【００６６】
一つの実現方式では、当該ステップは、
一つは、再び固定時刻に到達したとき、家電機器が既に規則的タスクを実行したかを検出する。
【００６７】
再び固定時刻に到達したとき、家電機器は、家電機器が既に規則的タスクを実行したかを検出することができる。
【００６８】
本実施形態では、「家電機器が規則的タスクを既に実行したか」には、家電機器が当該規則的タスクの実行を完了したこと、及び/又は家電機器が当該規則的タスクを実行していることを含む。
【００６９】
他の一つは、家電機器が規則的タスクを実行しない場合、規則的タスクを実行する。
【００７０】
家電機器が規則的タスクを実行しない場合、家電機器は、規則的タスクを実行する。
【００７１】
家電機器が当該規則的タスクを既に実行したら、家電機器は本フローを終了する。本実施はこれに対して限定しない。
【００７２】
もう一つの実現方法では、当該ステップは、
一つは、再び固定時刻に到達したとき、第２の問い合わせ情報をモバイル端末に送信する。第２の問い合わせ情報は、家電機器が規則的タスクの実行を許可するかを問い合わせするための情報である。
【００７３】
もう一つ可能な実現方式は、固定時刻に到達したとき、家電装置は第２の問い合わせ情報をモバイル端末に送信する。ここで、第２問い合わせは、家電機器が規則的タスクの実行を許可するかを問い合わせるための情報である。
【００７４】
モバイル端末は、対応して、当該第２の問い合わせ情報を受信し、受信した当該第２の問い合わせ情報を表示する。後で、ユーザーが、家電機器が当該規則的タスクを実行することに同意する場合、モバイル端末を操作して、操作を許可することを示している第２のフィードバック情報を家電機器に送信し、ユーザーが、家電機器が当該規則的タスクを実行することに同意しない場合、モバイル端末を操作して、操作を許可しないことを示す第２のフィードバック情報を家電機器に送信する。
【００７５】
例えば、空気清浄器が送信した第１の問い合わせ情報が「空気清浄器をまもなく省電力・浄化モードに設定します。許可しますか？」である場合、モバイル端末は、図３Ｃに示されたインターフェイスを表示することができる。後で、ユーザーが設定を許可する場合、ユーザーは同意をクリックし、ユーザーが設定を許可しない場合、ユーザーは拒絶をクリックすることができる。
【００７６】
他の一つは、モバイル端末が送信した第２のフィードバック情報を受信する。
【００７７】
対応的に、家電機器はモバイル端末が送信した第２のフィードバック情報を受信することができる。
【００７８】
さらに他の一つは、第２のフィードバック情報が実行を許可することを表示する場合、規則的タスクを実行する。
【００７９】
家電機器が受信した当該第２のフィードバック情報が実行を許可することを示している情報である場合、ユーザーが家電機器が規則的タスクを実行をことを許可することを説明する。この時、家電機器は、当該規則的タスクを実行することができる。
【００８０】
逆に、家電機器が受信した当該第２のフィードバック情報が実行を許可しないことを示す情報である場合、ユーザーが家電機器が当該規則的タスクを実行することを許可しないことを説明する。この時、家電機器は規則的タスクを実行せず、本フローを終了する。
【００８１】
なお、本実施形態は、単に上記可能な実現方法を単独に使用して規則的タスクを実行することを例にしたが、実際に実現する場合、家電機器は、前記二つの可能な実現方式を同時に採用することができる。又は、家電機器は、固定時刻に到達したとき、当該規則的タスクを自動的に実行する。本実施形態はこれに対して限定しない。
【００８２】
なお、ステップ３０３の前に、家電機器は、さらに、モバイル端末が送信したトリガ信号を受信することができる。そのトリガ信号は、ユーザーがモバイル端末のクライアントを介して家電機器を動作させる時送信した情報である。
【００８３】
例えば、図３Ｄを参照すると、ユーザーが図３Ｄ中の動作ウィジェット３１をクリックする場合、モバイル端末は、トリガ信号を家電機器に送信する。以降、家電機器はステップ３０１、３０２を実行した後、第１の問い合わせ情報をモバイル端末に送信する。つまり、モバイル端末は、図３Ｂに図示されたインターフェースを対応的に表示する。本実施はこれに対して限定しない。
【００８４】
なお、家電機器が検出した規則的タスクが、固定時間帯内のタスクである場合、例えば、当該規則的タスクが「１７：００時〜２０：００時の間に省電力・浄化モードを設定する」である場合、携帯端末が図３Ｂを表示し、ユーザーが操作した確認情報を受信した後、モバイル端末は、図３Ｅに示した表示インターフェイスに転換することができる。ユーザーは、表示インターフェイスにおいて規則的タスクに対応する時間帯を設定し、設定完了後、第１のフィードバック情報を家電機器に送信する。本実施はこれに対して限定しない。
【００８５】
つまり、本発明の実施形態に係るタスク設定方法は、ユーザーが操作した家電機器の操作履歴を取得し、操作履歴に基づいて規則的タスクであって、固定時刻に同一の操作を受信した回数が所定回数に達する操作に対応する規則的タスクが存在するかを検出し、規則的タスクが存在する場合、固定の時刻に、対応する規則的タスクアイテムであって、再び固定時刻に到達したとき家電機器が規則的タスクを実行するタスクアイテムを設定することにより、関連技術に存在する家電機器がユーザーにサービスを適時に提供不可能な問題を解決し、固定時刻に到達したとき家電機器が規則的タスクを実行することができて、家電機器がユーザーに需要サービスをいつでも提供することができる効果をもたらすことができる。
【００８６】
本実施形態は、第１の問い合わせ情報をモバイル端末に送信し、また受信したフィードバック情報が確認を表示し、すなわち、ユーザーが固定時刻に規則的タスクアイテムを設定することに同意する場合のみに、家電機器は固定時刻に規則的タスクアイテムを設定する。したがって、家電機器の運転がユーザーの期待にさらに適合され、ユーザーの体験をさらに向上することができる。
【００８７】
同時に、規則的タスクアイテムを設定した後、再び固定時刻に到達すると、家電機器は規則的タスクアイテムに基づいて規則的タスクを実行することができる。したがって、関連技術では、ユーザーが家電機器の操作を忘れてしまった場合、家電機器が何のタスクも実行しない問題を解決することができる。
【００８８】
また、本実施形態では、規則的タスクを実行する前に、ユーザーが操作を許可するかを問い合わせ、ユーザーが操作を許可すると、規則的タスクを実行することにより、ユーザーの使用体験をさらに向上することができる。
【００８９】
なお、上記実施例では、タスクを設定する方法は、
第１、家電機器が予設情報を取得するステップを含む。予設情報は、家電機器所在環境の空気品質情報、家電機器所在環境の第１の所定時間帯内の光の強さ、家電機器所在環境の第２の所定時間帯内の音の強さ、及び、家電機器及び/又は家電機器と同一のＬＡＮに位置する他の家電機器が最近１回使用された使用時刻のうちの少なくとも一つを含む。
【００９０】
予設情報が空気品質情報を含む場合、家電機器が空気品質の検出能力を備えた装置（例えば、空気清浄器や空気品質検出器）であると、家電機器は環境の空気品質を直接検出することができ、空気品質情報を取得することができる。家電機器が空気品質の検出能力を備えていない場合、家電機器はホームゲートウェイ装置を介して同一のＬＡＮに位置する空気品質の検出能力を備えた他の装置からの空気品質の情報を取得することができる。
【００９１】
予設情報が家電機器所在環境の第１の所定時間帯内の光の強さを含む場合、家電機器が光の強さを採集する能力を備えると、第１の所定時間帯内に所在環境の光の強さを採集し取得した光の強さを保存することができる。後で、光の強さを使用する場合、保存された光の強さを読み出す。例えば、家電機器は、所在環境の「１７：００時〜２０：００時」間の光の強さを直接採集する。しかし、家電機器が光の強さを採集する能力を備えていない場合、ホームゲートウェイ装置を介してホームゲートウェイ装置と接続された光の強さを採集する能力を備えた他の家電機器により所在環境の光の強さを取得することができる。光の強さは、光の強さを採集する能力を備えた他の家電機器が事前に採集した光の強さであってもよい。本実施形態はこれに対して限定しない。
【００９２】
予設情報が家電機器所在環境の第２の所定時間帯内の光の強さを含む場合、家電機器が音の強さを採集する能力を備えると、第２の所定時間帯内の所在環境の音の強さを直接採集することができる。例えば、所在環境の「１９：３０時-２１：３０時」間の音の強さを採集する。しかし、家電機器が音の強さの採集能力を備えていない場合、ホームゲートウェイ装置を介してホームゲートウェイ装置と接続された音の強さの採集能力を備えた他の家電機器により、所在環境の音の強さを取得することができる。音の強さは、音の強さを採集する能力を備えた家電機器が事前に採集した音の強さであってもよい。本実施形態はこれに対して限定しない。ここで、第２の所定時間帯と第１の所定時間帯は、同じ時間帯であってもよいが、異なる時間帯であってもよい。本実施形態はこれに対して限定しない。
【００９３】
予設情報が家電機器及び/又は家電機器と同一のＬＡＮに位置する家電機器が最近１回使用された使用時刻を含む場合、家電機器は、それ自体が最近１回使用された使用時刻を取得し、又は、ホームゲートウェイを介して同一のＬＡＮに位置する他の家電機器が最近１回使用された使用時刻を取得し、又は家電機器は、それ自体が最近１回使用された使用時刻及び同一のＬＡＮに位置する他の家電機器が最近１回使用された使用時刻を取得することができる。
【００９４】
第２、家電機器は、予設情報が予設条件を満足するかを検出する。予設条件は、空気品質情報が空気品質が予設空気品質よりも悪いと示すこと、光の強さが予設光の強度よりも低いこと、音の強さが予設強さよりも小さいこと、及び、最近１回使用された使用時刻が所定時間前の時刻のうちの少なくとも一つを含む。
【００９５】
家電機器が予設情報を取得した後、家電機器は、当該予設情報が予設条件を満たすかを検出することができる。
【００９６】
予設情報が空気品質情報を含む場合、家電機器は、当該空気品質情報が表示する空気品質が予設空気品質よりも悪いかを検出する。検出結果が予設空気品質よりも悪いことを表示すると、家電機器は、家電機器所在環境が長い間掃除されておらず、ユーザーが長い時間家に住んでいない可能性があり、当該予設情報が対応する条件を満たす。検出結果が予設空気品質よりも悪くないことを表示すると、周囲の空気品質が比較的良く、ユーザーがよく掃除し、当該予設情報が対応する条件を満足しない。
【００９７】
予設情報が家電機器所在環境の第１の所定時間帯内の光の強さを含む場合、家電機器は、取得した光の強さが予設光の強度よりも小さいかを検出する。第１の所定時間帯は夜の任意の時間帯であり、また、検出結果が光の強さが予設光の強度よりも小さいことを表示すると、ユーザーが第１の所定時間帯内に照明やＴＶのような照明家電を動作していないことを説明する。このとき、ユーザーはまだ家に帰っていない可能性があり、当該予設情報が対応する条件を満足する。しかし、検出結果が予設光の強度よりも小さいことを表示すると、ユーザーが当該第１の所定時間帯内に正常に照明家電を動作させる。つまり、ユーザーが既に家に帰っている可能性があり、当該予設情報が対応する条件を満足することを説明する。
【００９８】
予設情報が家電機器所在環境の第２の所定時間帯内の音の強さを含む場合、家電機器は、取得した音の強さが予設強さよりも小さいかを検出する。第１の所定時間帯が夜の任意の時間帯であり、検出結果が音の強さが予設強さより小さいことを表示すると、ユーザーが当該第２の所定時間帯内にまだ家に帰っていない可能性があり、当該予設情報が対応する条件を満足することを説明する。しかし、検出結果が予設強さよりも小さくないことを表示すると、ユーザーが当該第２の所定時間帯内に既に家に帰っている可能性があり、当該予設情報が対応する条件を満たしていないことを説明する。
【００９９】
予設情報が最近１回使用された使用時刻を含む場合、家電機器は、当該使用時刻が所定時間前の時刻であるかを検出する。検出結果が所定時間前の時刻であることを表示すると、家電機器は、家電機器が長い間使用されておらず、ユーザーが長い時間家に帰っていらず、当該予設情報が対応する条件を満足する。しかし、検出結果が所定時間前の時刻でないことを示した場合、家電が最近使用されたばかりであり、つまりユーザーが正常に家電機器を使用し、当該予設情報が対応する条件を満足することを説明する。
【０１００】
なお、本実施形態は、単に予設情報が上記４つの情報を含むことを例に挙げて説明したが、実際に実現する場合、予設情報は他の情報であってもよい。本実施形態はこれに対して限定しない。また、予設情報が少なくとも２つ以上を含む場合、少なくとも２つ以上の情報のすべてが対応する条件を満足するとき、当該予設情報が予設条件を満足すると設定することができ、又は、少なくとも２つ以上の情報における条件を満足する数が所定の数に達すると、当該予設情報が予設条件を満足すると判定するように設定することができる。本実施形態はこれに対して限定しない。
【０１０１】
第３、予設情報が予設条件を満足する場合、家電機器は、ホームゲートウェイ装置を介して家電機器や家電機器と同一のＬＡＮに位置する家電機器をオフにする。
【０１０２】
家電機器の検出結果が予設情報が予設条件を満足すると表示する場合、ユーザーが長い時間外出していることを説明する。この時、電気を安全に使用し、エネルギーを節約するために、家電機器は、ホームゲートウェイ装置を介して家電機器や当該家電機器と同一のＬＡＮに位置する家電機器をオフにすることができる。
【０１０３】
実際に実現する場合、家電機器は、自体や同一のＬＡＮに位置する家電機器をオフにする前に、家電機器は、さらに、ホームゲートウェイ装置を介して第３の問い合わせ情報をモバイル端末に送信する。第３の問い合わせ情報は、家電機器や家電機器と同一のＬＡＮに位置する家電機器をオフにするかを問い合わせするため情報である。モバイル端末がフィードバックした情報がオフに同意することを表示すると、それぞれの家電機器をオフにする。こうして、それぞれの家電機器の運転は、ユーザーの使用習慣にさらに合致し、ユーザーの使用体験を向上することができる。
【０１０４】
図４は、一実施形態に係るタスク設定方法を示すフローチャートである。本実施形態では、そのタスク設定方法を、図１に示されたホームゲートウェイ装置１２０に適用することを例に挙げて説明する。図４に示すように、そのタスク設定方法は、下記のようなステップを含む。
【０１０５】
ステップ４０１：ホームゲートウェイ装置は、ユーザーが家電機器を操作した操作履歴を取得する。
【０１０６】
ユーザーが家電機器を操作するとき、家電機器は、ユーザーの操作履歴を記録して保存し、又は記録された操作の履歴をホームゲートウェイ装置に保存し、又はホームゲートウェイ装置を介して操作記録をモバイル端末に送信し、又はホームゲートウェイ装置を介して操作記録をサーバーに送信する。
【０１０７】
以降、ホームゲートウェイ装置が操作履歴を使用する場合は、ホームゲートウェイ装置は、操作履歴を取得することができる。
【０１０８】
実際に実現する場合、ホームゲートウェイ装置が操作履歴を取得する取得方法は、下記のような方法のうちの少なくとも一つを含む。
【０１０９】
第１、操作履歴がホームゲートウェイに保存された場合、ホームゲートウェイ装置は、事前に保存された操作履歴を直接読み取ることができる。
【０１１０】
第２、操作履歴が家電機器に保存された場合、ホームゲートウェイ装置は、操作履歴を取得する第１の取得請求を家電機器に送信し、家電機器が第１の取得請求を受信すると、その操作履歴をホームゲートウェイ情報に送信する。
【０１１１】
第３、操作履歴がサーバーに保存された場合、ホームゲートウェイ装置は、操作履歴を取得する第２の取得請求をサーバーに送信し、サーバーは、第２の取得請求を受信した後、操作履歴をホームゲートウェイに送信する。
【０１１２】
ステップ４０２：ホームゲートウェイ装置は、操作履歴に基づいて、規則的タスクが存在するかを検出する。規則的タスクは、固定時刻に同一の操作を受信した回数が所定回数に達する操作に対応するタスクである。
【０１１３】
ホームゲートウェイ装置が操作履歴を取得した後、ホームゲートウェイ装置は、操作履歴に基づいて、規則的タスクが存在するかを検出する。これは、家電機器が規則的タスクが存在するかを検出する方法と似ている。よって、本実施形態では冗長に説明しないことにする。
【０１１４】
ステップ４０３：規則的タスクが存在する場合、ホームゲートウェイ装置は、第１の問い合わせ情報をモバイル端末に送信する。第１の問い合わせ情報は、固定時刻に、対応する規則的タスクアイテムを設定するかを問い合わせするための情報である。
【０１１５】
ホームゲートウェイ装置の検出結果が規則的タスクが存在することを表示すると、ホームゲートウェイ装置は、第１の問い合わせ情報をモバイル端末に送信する。ここで、第１の問い合わせ情報は、固定時刻に、対応する規則的タスクアイテムを設定するかを問い合わせするための情報である。
【０１１６】
対応的に、モバイル端末は、第１の問い合わせ情報を受信することができ、受信した当該第１の問い合わせ情報を表示する。
【０１１７】
ユーザーは、モバイル端末が表示された第１の問い合わせ情報を確認した後、ユーザーは応答することができ、モバイル端末を操作して、フィードバック情報をホームゲートウェイ装置に送信する。ユーザーが固定時刻に規則的タスクアイテムを設定することに同意すると、ユーザーは、モバイル端末を操作して、確認を表示するフィードバック情報をホームゲートウェイ装置に送信することができる。ユーザーが固定時刻に規則的タスクアイテムを設定することに同意しない場合は、ユーザーは、モバイル端末を操作して拒絶を表示するフィードバック情報をホームゲートウェイ装置に送信することができる。
【０１１８】
これは、上記実施例のステップ３０３に類似して、本実施形態では、ここで冗長に説明していない。
【０１１９】
ステップ４０４：ホームゲートウェイ装置は、モバイル端末が送信した第１のフィードバック情報を受信する。
【０１２０】
ホームゲートウェイ装置は、対応的に、モバイル端末が送信した第１のフィードバック情報を受信することができる。
【０１２１】
ステップ４０５：第１フィードバック情報が確認を表示する場合、ホームゲートウェイ装置は、固定時刻に規則的タスクアイテムを設定する。
【０１２２】
ホームゲートウェイ装置が受信した第１のフィードバック情報が確認を表示する場合、ホームゲートウェイ装置は、固定時刻に規則的タスクアイテムを設定することができる。ここで、当該規則的タスクのアイテムは、再び固定時刻に到達したとき、規則的タスクを実行するタスクアイテムである。
【０１２３】
しかし、ホームゲートウェイ装置が受信した第１のフィードバック情報が拒絶を表示すると、ホームゲートウェイ装置は、フローを終了する。
【０１２４】
ステップ４０６：再び固定時刻に到達したとき、ホームゲートウェイ装置は、規則的タスクアイテムに基づいて規則的タスクを実行する。
【０１２５】
再び固定時刻に到達したとき、ホームゲートウェイ装置は、家電機器に、家電機器を制御して規則的タスクを実行するための制御コマンドを送信することができる。対応的に家電機器は、その制御コマンドを受信して、制御コマンドを受信した後、規則的タスクを実行する。
【０１２６】
なお、本実施形態は、単にホームゲートウェイ装置が固定時刻に到達したとき制御コマンドを家電機器に送信することを例に挙げたが、実際に実現する場合、ホームゲートウェイ装置は、規則的タスクアイテムを設定した後、固定時刻の到達を待つ必要がなく、固定時刻を携帯した制御コマンドを家電機器に直接送信することができる。本実施形態はこれに対して限定しない。
【０１２７】
つまり、本発明の実施形態によるタスク設定方法は、ユーザーが家電機器を操作した操作履歴を取得し、操作履歴に基づいて規則的タスクであって、固定時刻に同一の操作を受信した回数が所定回数に到達した操作に対応する規則的タスクが存在するかを検出する。規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器がユーザーに適時にサービスを提供できない問題を解決して固定時刻に到達したとき家電機器が、規則的タスクを実行し、家電機器が常にユーザーに必要なサービスを提供する効果をもたらすことができる。
【０１２８】
本実施形態は、第１の問い合わせ情報をモバイル端末に送信し、受信したフィードバック情報が確認を表示するとき、ユーザーが固定時刻に規則的タスクアイテムを設定することに同意すると、ホームゲートウェイ装置は、固定時刻に規則的タスクアイテムを設定することができる。したがって家電機器の運転がユーザーの期待にさらに適合され、ユーザーの体験をさらに向上することができる。
【０１２９】
同時に、規則的タスクアイテムを設定した後、再び固定時刻に到達したとき、ホームゲートウェイ装置は、家電機器が規則的タスクを実行することを制御することで、関連技術では、ユーザーが家電機器を操作することを忘れてしまった場合、家電機器が何のタスクも実行しない問題を解決することができる。
【０１３０】
なお、上記の実施例では、タスク設定方法は、
第１、ホームゲートウェイ装置が予設情報を取得するステップを含む。予設情報は、家電機器所在環境の空気品質情報、家電機器所在環境の第１の所定時間帯内の光の強さ、家電機器所在環境の第２の所定時間帯内の音の強さ、家電機器及び/又は家電機器と同一のＬＡＮに位置する家電機器が最近１回使用された使用時刻のうちの少なくとも一つを含む。
【０１３１】
予設情報が空気品質情報を含む場合、ホームゲートウェイ装置は、それと接続された空気品質の検出能力を備えた家電機器からの空気品質の情報を取得することができる。その空気品質情報は、空気品質の検出能力を備えた家電機器が事前に取得した情報であってもよい。
【０１３２】
予設情報が家電機器所在環境の第１の所定時間帯内の光の強さを含む場合、ホームゲートウェイ装置は、それと接続された光の強さを採集する能力を備えた家電機器から現在所在環境の第１の所定時間帯内の光の強さを取得することができる。
【０１３３】
その光の強さは、光の強さを採集する能力を備えた家電機器が第１の時間帯内に採集し保存した情報であってもよい。
【０１３４】
予設情報が家電機器所在環境の第２の所定時間帯内の音の強さを含む場合、ホームゲートウェイ装置は、それと接続された光の強さを採集する能力を備えた家電機器から、現在所在環境の第２所定時間帯内の音の強さを取得することができる。音の強さは、音の強さを採集する能力を備えた家電機器が第２の時間帯内に採集し、保存した情報であってもよい。ここで、第２の所定時間帯と第１の所定時間帯は、同じ時間帯であってもよいし、異なる時間帯でもあってもよい。本実施形態はこれに対して限定しない。
【０１３５】
予設情報が家電機器及び/又は家電機器と同一のＬＡＮに位置する家電機器が最近１回使用された使用時刻を含む場合、ホームゲートウェイ装置は、それと接続されたそれぞれの家電機器が最近１回の使用された使用時刻を採集する。
【０１３６】
第２、ホームゲートウェイ装置は、予設情報が予設条件を満足するかを検出するステップを含む、予設条件は、空気品質情報が空気品質が予設空気品質よりも悪いと示すこと、光の強さが予設光の強さよりも小さいこと、音の強さが予設強さよりも小さいこと、及び最近１回使用された使用時刻が所定時間の長さ前の時刻であることのうちの少なくとも一つを含む。
【０１３７】
ホームゲートウェイ装置が予設情報を取得した後、ホームゲートウェイ装置は、予設情報が予設条件を満足するかを検出することができる。その検出方法は、上記実施例の対応するステップと同じであるため、本実施例では、冗長に説明しない。
【０１３８】
なお、本実施形態は、単に予設情報が上記４つのことを含むことを例に挙げて説明したが、実際に実現された場合、予設情報は、他の情報であってもよい。また、予設情報は、少なくとも２つ以上の情報を含む場合、少なくとも２つ以上の情報のすべてが対応する条件を満足すると、予設情報が予設条件を満足すると設定できる。又は、少なくとも２つ以上の情報のうち条件を満足する数が所定数に達したとき、予設情報が予設条件を満足すると判定するように設定する。本実施形態はこれに対して限定しない。
【０１３９】
第３、予設情報が予設条件を満足すると、ホームゲートウェイ装置は、家電機器や家電機器と同一のＬＡＮに位置する家電機器をオフにする。
【０１４０】
ホームゲートウェイ装置の検出結果が予設情報が予設条件を満足すると表示する場合、ユーザーが可能に外出していることを説明する。この時、電気を安全に使用し、エネルギーを節約するために、ホームゲートウェイ装置は、それと接続されたそれぞれの家電機器をオフにすることができる。
【０１４１】
実際に実現する場合、ホームゲートウェイ装置がそれに接続されたそれぞれの家電機器をオフにする前に、ホームゲートウェイ装置は、第３の問い合わせ情報をモバイル端末に送信することができる。第３の問い合わせ情報は、それぞれの家電機器をオフにするかを問い合わせするための情報である。モバイル端末が送信したフィードバック情報がオフに同意する場合、ホームゲートウェイ装置と接続されたそれぞれの電気機器をオフにする。こうして、それぞれの家電機器の運転は、ユーザーの使用習慣にさらに合致し、ユーザーの使用体験を向上することができる。
【０１４２】
なお、当該方法がサーバーに適用する場合、その実現方式はホームゲートウェイ装置での実現方式と類似しており、本実施形態では、ここで冗長に説明しない。
【０１４３】
図５は、一実施形態に係る一つのタスク設定方法を示すフローチャートである。本実施形態では、そのタスク設定方法を、図１に示された、モバイル端末１３０に適用することを例に挙げて説明する。
【０１４４】
図５に示すように、そのタスク設定方法は、下記のようなステップを含むことができる。
【０１４５】
ステップ５０１：モバイル端末は、ユーザーが家電機器を操作した操作履歴を取得する。
【０１４６】
ユーザーが家電機器を操作するとき、家電機器はユーザーの操作履歴を記録し、記録された操作履歴を保存し、又は記録された操作の履歴をホームゲートウェイ装置に保存し、又はホームゲートウェイ装置を介して操作記録をモバイル端末に記録し、又はホームゲートウェイ装置を介して操作記録をサーバーに送信することができる。
【０１４７】
後に、モバイル端末が操作履歴を使用する必要があるとき、モバイル端末は、操作履歴を取得することができる。
【０１４８】
実際に実現する場合、モバイル端末が操作履歴を取得する取得方法は、下記のような方法のうちの少なくとも一つを含む。
【０１４９】
第１、操作履歴がモバイル端末に保存されたとき、モバイル端末は、事前に保存された操作履歴を直接読み取ることができる。
【０１５０】
第２、操作履歴が家電機器に保存されたとき、モバイル端末は、操作履歴を取得する第３の取得請求を家電機器に送信し、家電機器は第３の取得請求を受信した後、操作履歴をモバイル端末に送信する。
【０１５１】
第３、操作履歴がサーバーに保存されたとき、モバイル端末は、操作履歴を取得する第４の取得請求をサーバーに送信し、サーバーが第４の取得請求を受信した後、操作履歴をモバイル端末に中継送信する。
【０１５２】
第４、操作履歴がホームゲートウェイ装置に保存されたとき、モバイル端末は、操作履歴を取得する第５の取得請求をホームゲートウェイ装置に送信し、ホームゲートウェイ装置は、第５の取得請求を受信した後、操作履歴をモバイル端末に中継送信する。
【０１５３】
ステップ５０２：携帯端末は、操作履歴に基づいて、規則的タスクが存在するかを検出する。規則的タスクは、固定時刻に同一の操作を受信する回数が所定回数に達する操作に対応するタスクである。
【０１５４】
モバイル端末は、操作履歴を取得した後、操作履歴に基づいて、規則的タスクが存在するかを検出する。本ステップは、上記実施例のステップ３０２と類似しているため、本実施形態では、ここで冗長に説明しない。
【０１５５】
ステップ５０３：規則的タスクが存在する場合、モバイル端末は、第１の問い合わせ情報を表示する。第１の問い合わせ情報は、固定時刻に、対応する規則的タスクアイテムを設定するかを問い合わせするための情報である。
【０１５６】
上記の各実施形態と異なる点は、本実施形態では、その方法が、モバイル端末に適用されるため、モバイル端末の検出結果が規則的タスクが存在することを表示すると、携帯端末は、第１の問い合わせ情報を直接表示することができる。第１の問い合わせ情報は、固定時刻に、対応する規則的タスクアイテムを設定するかを問い合わせするため情報である。
【０１５７】
ステップ５０４：携帯端末は確認信号を受信し、確認信号を受信した後、固定時刻に規則的タスクアイテムを設定する。
【０１５８】
ユーザーがモバイル端末に第１の問い合わせ情報が表示されるのを見て、且つ、設定を同意すると、ユーザーは、確認信号をトリガすることができる。対応的に、モバイル端末は、確認信号を受信する。
【０１５９】
モバイル端末は確認信号を受信した後、固定時刻に規則的タスクアイテムを設定することができる。
【０１６０】
ユーザーが設定を拒絶する場合、ユーザーは、拒絶信号をトリガすることができる。対応的に、モバイル端末は、拒絶信号を受信し、拒否信号を受信した後、フローを終了する。
【０１６１】
ステップ５０５：再び固定時刻に到達したとき、モバイル端末は、規則的タスクアイテムに基づいて規則的タスクを実行する。
【０１６２】
モバイル端末は、固定時刻に、対応する規則的タスクアイテムを設定した後、再び固定時刻に到達したとき、モバイル端末は、家電機器に家電機器を制御して規則的タスクを実行するための制御コマンドを送信する。対応的に家電機器は、その制御コマンドを受信して、制御コマンドを受信した後、規則的タスクを実行する。
【０１６３】
なお、本実施形態は、単にモバイル端末が固定時刻に到達したとき制御コマンドを家電機器に送信することを例に挙げたが、実際に実現する場合、モバイル端末は、規則的タスクアイテムを設定した後、固定時刻に達するのを待つ必要がなく、固定時刻を携帯した制御コマンドを家電機器に直接送信する。本実施形態はこれに対して限定しない。
【０１６４】
つまり、本発明の実施形態に係るタスク設定方法は、ユーザーが家電機器を操作した歴史的な記録を取得し、操作履歴に基づいて規則的タスクであって、固定時刻に同一の操作を受信した回数が所定回数に達する操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器が適時にユーザーにサービスを提供不可能の問題を解決することができ、家電機器は、常にユーザーが需要なサービスを提供する効果に達することができる。
【０１６５】
本実施形態では、固定時刻に、対応する規則的タスクアイテムを設定する前に、まず固定時刻に、対応する規則的タスクアイテムを設定するかを問い合わせし、かつ確認信号を受信した場合、固定時刻に、対応する規則的タスクアイテムを設定する。よって、家電機器の運転は、ユーザーの期待により適合され、ユーザーの体験をさらに向上することができる。
【０１６６】
同時に、規則的タスクアイテムを設定した後、再び固定時刻に到達したとき、モバイル端末は、家電機器を制御して、規則的タスクを実行することができ、関連技術では、ユーザーが家電機器の操作を忘れてしまった場合、家電機器が何のタスクも実行しない問題を解決することができる。
【０１６７】
なお、上記の実施例では、タスク設定方法は、さらに、
第１、モバイル端末は予設情報を取得するステップを含む。予設情報は、家電機器所在環境の空気品質情報、家電機器所在環境の第１の所定時間帯内の光の強さ、家電機器所在環境の第２所定時間帯内の音の強さ、家電機器及び/又は家電機器と同一のＬＡＮに位置する家電機器が最近１回使用された使用時刻のうちの少なくとも一つを含む。
【０１６８】
予設情報が空気品質情報を含む場合、モバイル端末は、ホームゲートウェイ装置を介してホームゲートウェイ装置と接続された空気品質の能力を備えた家電機器から空気品質の情報を取得する。
【０１６９】
予設情報が家電機器所在環境の第１の所定時間帯内の光の強さを含む場合、光の強さを採集する能力を備えた家電機器所在環境の第１の所定時間内の光の強さを採集するすることができ、モバイル端末端末は、ホームゲートウェイ装置を介してホームゲートウェイ装置と接続された光の強さを採集する能力を備えた家電機器から所在環境の第１の所定時間帯内の光の強さを取得する。
【０１７０】
予設情報が家電機器所在環境の第２の所定時間帯内の音の強さを含む場合、音の強さを採集する能力を備えた家電機器は、所在環境の第２の所定時間帯内の音の強さを採集するすることができ、モバイル端末端末は、ホームゲートウェイ装置を介してホームゲートウェイ装置と接続された音の強さを採集する能力を備えた家電機器から所在環境の第２の所定時間帯内の音の強さを取得する。ここで、第２の所定時間帯と第１の所定時間帯は、同じ時間帯であってもよく、異なる時間帯であってもよい。
【０１７１】
予設情報が家電機器及び/又は家電機器と同一のＬＡＮに位置する家電機器が最近１回使用された使用時刻を含む場合、モバイル端末は、ホームゲートウェイ装置を介してホームゲートウェイに接続された各家電機器が最近１回使用された使用時刻を収集する。
【０１７２】
第２、モバイル端末は予設情報が予設条件を満足するかを検出する。予設条件は、空気品質情報が空気品質が予設空気品質よりも悪いと示すこと、光の強さが予設光の強さよりも小さいこと、及び、最近１回使用された使用時刻が所定時間前の時刻のうちの少なくとも一つを含む。
【０１７３】
これは、上記実施形態の対応ステップに類似して、本実施形態では、ここで冗長に説明しない。
【０１７４】
なお、本実施形態は、単に予設情報が上記４つのことを含むことを例に挙げて説明したが、実際に実現する場合、予設情報は、他の情報であってもよい。本実施形態はこれに対して限定しない。また、予設情報は、少なくとも２つ以上を含む場合、少なくとも２つ以上の情報のすべてが対応する条件を満足すると、当該予設情報が予設条件を満足すると設定することができる。又は、少なくとも２つ以上の情報中、条件を満足する数が所定数に達した場合、当該予設情報が予設条件を満足する判定するように設定することができる。本実施形態はこれに対して限定しない。
【０１７５】
第３、予設情報が予設条件を満たすと、モバイル端末は、ホームゲートウェイ装置を介して家電機器や家電機器と同一のＬＡＮに位置する家電機器をオフにする。
【０１７６】
モバイル端末の検出結果が予設情報が予設条件を満足すると表示する場合、ユーザーが外出している可能性があることを説明する。この時、電気を安全に使用し、エネルギーを節約するために、モバイル端末は、ホームゲートウェイ装置を介してそれと接続されたそれぞれの家電機器をオフにする。
【０１７７】
実際に実現する場合、モバイル端末は、ホームゲートウェイ装置を介して、それぞれの家電機器をオフにする前に、モバイル端末は、第３問い合わせ情報を表示することができる。第３問い合わせ情報は、それぞれの家電機器をオフにするかを問い合わせするための情報である。モバイル端末が確認情報を受信すると、それぞれの家電機器をオフにするが、逆に、モバイル端末が確認情報を受信しなかった場合、それぞれの家電機器をオフにしない。これにより、それぞれの家電機器の運転は、ユーザーの使用習慣にさらに合致し、ユーザーの使用体験を向上することができる。
【０１７８】
以下、本発明が提供した装置の実施形態であり、本発明が提供した方法の実施形態を実行するに用いられる。本発明に係る装置の実施形態に記載されていない詳細は、本発明に係る方法の実施形態を参照することができる。
【０１７９】
図６は、一実施形態に係るタスク設定装置を示すブロック図である。図６に示すように、当該タスク設定装置は、操作記録取得モジュール６１０、タスク検出モジュール６２０、タスクアイテム設定モジュール６３０を含むが、これに限定しない。
【０１８０】
操作記録取得モジュール６１０は、ユーザーが家電機器を操作した操作履歴を取得するように設定されている。
【０１８１】
タスク検出モジュール６２０は、操作記録取得モジュール６１０が取得した操作履歴に基づいて、規則的タスクが存在するかを検出するように配置される。
【０１８２】
タスクアイテム設定モジュール６３０は、タスク検出モジュール６２０の検出結果が規則的タスクが存在することを示している場合は、固定時刻に、対応する規則的タスクアイテムを設定するように配置されている。ここで、規則的タスクアイテムは、再び固定時刻に到達したとき家電機器が規則的タスクを実行するタスクアイテムである。
【０１８３】
つまり、本発明の実施形態に係るタスク設定装置は、ユーザが家電機器を操作した操作履歴を取得し、操作履歴に基づいて規則的タスクであって、固定時刻に同一の操作を受信した回数が所定回数に達する操作に対応する規則的タスクが存在するかを検出する。規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する中で家電機器が適時にユーザーにサービスを提供不可能な問題を解決し、固定時刻に到達したとき、家電機器が規則的タスクを実行することができ、家電機器がユーザーに必要なサービスをいつでも提供することができる効果をもたらすことができる。
【０１８４】
図７は、一実施形態に係るタスク設定装置を示すブロック図である。図７に示すように、当該タスク設定装置は、操作記録取得モジュール７１０、タスク検出モジュール７２０、及びタスクアイテム設定モジュール７３０を含むが、これに限定しない。
【０１８５】
操作記録取得モジュール７１０は、ユーザーが家電機器を操作した操作履歴を取得するように配置される。
【０１８６】
タスク検出モジュール７２０は、操作記録取得モジュール７１０が取得した操作履歴に基づいて、固定時刻に同一の操作を受信した回数が所定回数に達する操作に対応するタスクが存在するかを検出するように配置される。
【０１８７】
タスクアイテム設定モジュール７３０は、タスク検出モジュール７２０の検出結果が規則的タスクが存在することを表示する場合、固定時刻に、対応する規則的タスクアイテムを設定するように配置されている。ここで、規則的タスクアイテムは、再び固定時刻に到達したとき家電機器が規則的タスクを実行するタスクアイテムである。
【０１８８】
好ましくは、当該タスクアイテム設定モジュール７３０は、
モバイル端末に第１の問い合わせ情報であって、固定時刻に、対応する規則的タスクアイテムを設定するかを問い合わせするための第１の問い合わせ情報を送信するように配置された第１の問い合わせ情報送信サブモジュール７３１と、
モバイル端末が送信した第１のフィードバック情報を受信するように配置された第１のフィードバック情報受信サブモジュール７３２と、
第１のフィードバック情報受信サブモジュール７３２が受信した第１のフィードバック情報が確認を表示する場合、固定時刻に規則的タスクアイテムを設定するように配置されたタスクアイテム設定サブモジュール７３３を含む。
【０１８９】
好ましくは、上記装置は、
再び固定時刻に到達したとき、規則的タスクアイテムに基づいて規則的タスクを実行するように配置されているタスク実行モジュール７４０をさらに含む。
【０１９０】
好ましくは、上記タスク実行モジュール７４０は、
再び固定時刻に到達したとき家電機器が既に規則的タスクを実行するかを検出するように配置されたタスク検出サブモジュール７４１と、
タスク検出サブモジュール７４１の検出結果が家電機器が規則的タスクを実行していないことを表示するとき、規則的タスクを実行するように配置された第１のタスク実行サブモジュール７４２を含む。
【０１９１】
好ましくは、上記タスク実行モジュール７４０は、
再び固定時刻に到達したとき、モバイル端末に第２の問い合わせ情報であって、家電機器が規則的タスクを実行することを許可するかを問い合わせする第２の問い合わせ情報を送信するように配置された第２の問い合わせ情報送信サブモジュール７４３と、
モバイル端末が送信した第２のフィードバック情報を受信するように配置された第２のフィードバック情報受信サブモジュール７４４と、
第２のフィードバック情報受信サブモジュール７４４が受信した第２のフィードバック情報が実行を許可することを表示する場合き、規則的タスクを実行するように配置された第２のタスク実行サブモジュール７４５とを含む。
【０１９２】
好ましくは、上記タスク実行モジュール７４０は、規則的タスクがモバイル端末、ホームゲートウェイ装置又はサーバに保存され、また、再び固定時刻に到達したとき、モバイル端末、ホームゲートウェイ又はサーバーが家電機器に、家電機器を制御して規則的タスクを実行するための制御コマンドを送信するように配置されている。
【０１９３】
好ましくは、上記装置は、
予設情報であって、家電機器所在環境の空気品質情報、家電機器所在環境の第１の所定時間帯内の光の強さ、家電機器所在環境の第２の所定時間帯内の音の強さ、家電機器及び/又は家電機器と同一のＬＡＮに位置する他の家電機器が最近１回使用された使用時刻のうちの少なくとも一つを含む予設情報を取得するように配置された情報取得モジュール７５０と、
予設情報が予設条件であって、空気品質情報が空気品質が予設空気品質よりも悪いと示すこと、光の強さが予設光の強さよりも小さいこと、音の強さが予設強さよりも小さいこと、及び、最近１回使用された使用時刻が所定時間長さ前の時刻のうちの少なくとも一つを含む予設条件を満足するかを検出するように配置された条件検出モジュール７６０と、
条件検出モジュール７６０の検出結果が予設情報が予設条件を満足すると表示する場合、ホームゲートウェイ装置を介して家電機器や家電機器と同一のＬＡＮに位置する家電機器をオフにするように配置された装置オフモジュール７７０とを含む。
【０１９４】
つまり、本発明の実施形態に係るタスク設定装置は、ユーザが家電機器を操作した操作履歴を取得し、操作履歴に基づいて規則的タスクであって、固定時刻に同一の操作を受信した回数が所定回数に到達した操作に対応する規則的タスクが存在するかを検出し、規則的タスクが存在する場合、固定時刻に、対応する規則的タスクアイテムであって、再び固定時刻に到達したとき家電機器が規則的タスクを実行する規則的タスクアイテムを設定する。これにより、関連技術に存在する家電機器が適時にユーザーにサービスを提供不可能な問題を解決し、固定時刻に到達したとき、家電機器が規則的タスクを実行することができ、家電機器がいつでもユーザーに需要なサービスを提供する効果に達することができる。
【０１９５】
本発明の実施形態は、第１の問い合わせ情報をモバイル端末に送信して、受信したフィードバック情報が確認を表示すると、つまり、ユーザーが固定時刻に規則的タスクアイテムを設定することに同意する場合、家電機器は、固定時刻に規則的タスクアイテムを設定することができる。したがって、家電機器の運転はユーザーの期待にさらに合致し、ユーザーの体験をさらに向上することができる。
【０１９６】
同時に、規則的タスクアイテムを設定した後、再び固定時刻に到達したとき、家電機器は規則的タスクを実行することができ、関連技術では、ユーザーが家電機器を操作することを忘れて家電機器が何のタスクも実行しない問題を解決することができる。
【０１９７】
上記実施形態における装置は、その中のそれぞれのモジュールが操作を実行する具体的な方法は、既に上記の方法実施形態で詳細に記述したので、ここで詳細な説明を省略する。
【０１９８】
図８は、一実施形態に係るタスクを設定する装置８００を示すブロック図である。例えば、装置８００は、モバイル端末、コンピュータ、デジタル放送端末、メッセージ送受装置、ゲームコンソール、タブレット装置、医療機器、ヘルス機器、ＰＤＡなどであってもよい。
【０１９９】
図８を参照すると、装置８００は、処理モジュール８０２、メモリ８０４、電源モジュール８０６、マルチメディアモジュール８０８、オーディオモジュール８１０、入力/出力（Ｉ/Ｏ）インターフェース ８１２、センサモジュール８１４、及び通信モジュール８１６のうちの１つ以上を含むことができる。
【０２００】
処理モジュール８０２は、通常、装置８００の全体の操作、例えば、ディスプレイ、モバイル端末の呼び出し、データ通信、カメラ操作や記録操作に関する操作を制御する。処理モジュール８０２は、前記方法の全部又は一部のステップを完了するように１つ以上のプロセッサ８１８を含んでコマンドを実行する。また、処理モジュール８０２は、他のモジュールとの相互作用を便利にするように、１つ以上のモジュールを含むことができる。例えば、処理モジュール８０２は、マルチメディアモジュール８０８と処理モジュール８０２との間の相互作用を便利にするように、マルチメディアモジュールを含んでもよい。
【０２０１】
メモリ８０４は、様々なタイプのデータを保存して、装置８００での操作をサポートするように配置される。このようなデータは、例えば、装置８００で操作される任意のアプリケーションプログラム、又は方法のコマンド、連絡先のデータ、電話帳データ、メッセージ、画像、動画などを含む。また、メモリ８０４は、いずれタイプの揮発性又は非揮発性記憶装置、又はこれらの組み合わせで実現することができる。例えばＳＲＡＭ、ＥＥＰＲＯＭ、ＥＰＲＯＭ、ＰＲＯＭ、ＲＯＭ、磁気メモリ、フレッシュメモリ、ディスク、又はＣＤであってもよい。
【０２０２】
電源モジュール８０６は、装置８００の様々なモジュールに電力を提供する。電源モジュール８０６は、電源管理システム、１つ以上の電源や他の装置８００のための電力の生成、管理、及び分配に係るモジュールを含むことができる。
【０２０３】
マルチメディアモジュール８０８は、前記装置８００とユーザーの間に出力インタフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサーを含んで、タッチや、スライドや、パネル上の手の動きを感知する。上記タッチセンサは、タッチやスライド動作の境界を検出することができるだけでなく、上記タッチやスライド操作に関連する持続時間や圧力を検出することができる。一部の実施形態では、マルチメディアモジュール８０８は、１つのフロントカメラ、及び/又はバックカメラを含むことができる。装置８００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【０２０４】
オーディオモジュール８１０は、オーディオ信号を出力及び/又は入力するように配置されている。例えば、オーディオモジュール８１０は、１つのマイク（ＭＩＣ）を含んでもよい。装置８００が操作モードに設定される場合は、例えば、呼び出しモード、記録モード、音声識別モードの場合は、マイクは、外部オーディオ信号を受信するように配置される。受信されたオーディオ信号は、メモリ８０４に格納されるか、通信モジュール８１６を経て送信することができる。一部の実施例では、オーディオモジュール８１０は、１つのスピーカーを含み、オーディオ信号を出力する。
【０２０５】
Ｉ/Ｏインターフェース８１２は、処理モジュール８０２と周辺インターフェースモジュールの間にインターフェースを提供する。上記周辺インターフェースモジュールは、キーボード、クリックホイール、ボタンなどであってもよい。これらのボタンは、ホームページボタン、ボリュームボタン、操作ボタン、ロックボタンを含むが、これに限定しない。
【０２０６】
センサモジュール８１４は、１つ以上のセンサを含み、装置８００の各方面の状態の評価を提供することができる。例えば、センサモジュール８１４は、装置８００のオン/オフ状態、モジュールの相対的な位置を検出することができる。例えば、上記モジュールは、装置８００のモニターや小さなキーボードであってもよい。センサモジュール８１４は、装置８００又は装置８００の１つモジュールの位置の変化、ユーザーと装置８００が接触したか、装置８００方位又は加速/減速、装置８００の温度変化を検出することができる。センサモジュール８１４は、接近センサーを含んで、何の物理的な接触がない状況でも近くの物体の存在を検出するように配置される。センサモジュール８１４は、例えばＣＭＯＳ又はＣＣＤイメージセンサーなどの光センサーが含まれて、画像形成に使用される。このような実施形態では、センサモジュール８１４は、加速度センサー、ジャイロスコープセンサー、磁気センサー、圧力センサー、又は温度センサをさらに含んでもよい。
【０２０７】
通信モジュール８１６は、装置８００と他の装置間で有線又は無線方式で便利に通信するように配置される。装置８００は、通信規格に基づいた、例えばＷｉＦｉ、２Ｇ又は４Ｇ又はこれらの組み合わせなどの無線インターネットにアクセスすることができる。一実施形態では、通信モジュール８１６は、放送チャンネルを経て外部の放送管理システムからの放送信号又は放送に関連する情報を受信する。一実施形態では、前記通信モジュール８１６は、ＮＦＣ通信モジュールが含まれて、短距離通信を促進することができる。例えば、ＮＦＣモジュールはＲＦＩＤ技術、ＩｒＤＡ技術、ＵＷＢ技術、ＢＴ技術やその他の技術に基づいて実現することができる。
【０２０８】
一実施形態では、装置８００は、１つ以上のＡＳＩＣ、ＤＳＰ、ＤＳＰＤ、ＰＬＤ、ＦＰＧＡ、コントローラ、マイクロコントローラ、マイクロプロセッサ、又はその他の電子素子で実現され、上記方法を実行する。
【０２０９】
一実施形態では、コマンドを含む非一時性コンピュータ読取可能なストレージミディアム、例えば、コマンドを含むメモリ８０４を提供する。上記コマンドは、装置８００のプロセッサ８１８によって実行され、前記方法を完成する。例えば、上記非一時性コンピュータ読取可能な記憶ミディアムは、ＲＯＭ、ＲＡＭ、ＣＤ−ＲＯＭ、テープ、フロッピーディスク、及び光データ記憶装置などであってもよい。
【０２１０】
なお、本発明は、上記で既に述べて図面で表示された構造に限定されず、上記範囲を逸脱しない範囲内で各種の修正及び変更を行うことができる。本発明の範囲は、単に添付された特許請求の範囲に限定される。
【国際調査報告】
2017505084.tif 000015
2017505084.tif 000016
2017505084.tif 000017
2017505084.tif 000018